(57)【要約】【課題】デジタルインターフェースを有し、デジタル衛星放送の受信が可能なチューナを有するテレビ内部のハードウェア構成を変更することなく、デジタル地上波放送を受信可能にしたい。【解決手段】第１の暗号化方式で暗号化されたＴＳ（トランスポートストリーム）として放送されてくるデジタル地上波放送を受信するチューナ１９と、受信されたＴＳを第２の暗号化方式で暗号化する暗号化手段２０と、第２の暗号化方式で暗号化されたＴＳを出力し、ＩＥＥＥ１３９４Ｉ／Ｆ９と接続し得るＩＥＥＥ１３９４Ｉ／Ｆ２１とを備え、ＩＥＥＥ１３９４Ｉ／Ｆ９は、ＩＥＥＥ１３９４Ｉ／Ｆ２１から出力されたＴＳを入力し、第２の復号手段５は、その入力されたＴＳの第２の暗号化方式の暗号を復号し、ＡＶデコーダ７に出力する。【選択図】  図１
2004207890.tif 000002
【特許請求の範囲】
【請求項１】
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信する第１のインターフェースと、復号された前記トランスポートストリームの圧縮を伸長するＡＶデコーダと、第２の復号手段とを有する第１装置と、
第１の暗号化方式で暗号化されたトランスポートストリームとして放送されてくるデジタル地上波放送を受信する第２のチューナと、受信された前記トランスポートストリームを第２の暗号化方式で暗号化する暗号化手段と、前記第２の暗号化方式で暗号化された前記トランスポートストリームを出力し、前記第１のインターフェースと接続し得る第２のインターフェースとを有する第２装置とを備え、
前記第１のインターフェースは、前記第２のインターフェースから出力された前記トランスポートストリームを入力し、
前記第２の復号手段は、その入力されたトランスポートストリームの前記第２の暗号化方式の暗号を復号し、前記ＡＶデコーダに出力するデジタル放送受信システム。
【請求項２】
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信し、暗号化及び復号機能を有する第１のインターフェースと、復号された前記トランスポートストリームの圧縮を伸長するＡＶデコーダとを有する第１装置と、
第１の暗号化方式で暗号化されたトランスポートストリームとして放送されてくるデジタル地上波放送を受信する第２のチューナと、受信された前記トランスポートストリームを出力し、前記第１のインターフェースの復号方式に対応する暗号方式の機能を有し、前記第１のインターフェースと接続し得る第２のインターフェースとを有する第２装置とを備え、
前記第１のインターフェースは、前記第２のインターフェースから出力された前記トランスポートストリームを入力し、前記ＡＶデコーダに出力するデジタル放送受信システム。
【請求項３】
第１の暗号化方式で暗号化されたトランスポートストリームとして放送されてくるデジタル衛星放送を受信する第１のチューナと、
受信された前記トランスポートストリームの前記第１の暗号化方式の暗号を復号する第１の復号手段と、
復号された前記トランスポートストリームを外部に伝送または受信する第１のインターフェースと、
復号された前記トランスポートストリームの圧縮を伸長するＡＶデコーダと、
第２の復号手段とを備え、
第１の暗号化方式で暗号化されたトランスポートストリームとして放送されてくるデジタル地上波放送を受信する第２のチューナと、受信された前記トランスポートストリームを第２の暗号化方式で暗号化する暗号化手段と、前記第２の暗号化方式で暗号化された前記トランスポートストリームを出力し、前記第１のインターフェースと接続し得る第２のインターフェースとを有する第２装置の前記第２のインターフェースから出力された前記トランスポートストリームを、前記第１のインターフェースは、入力し、
前記第２の復号手段は、その入力されたトランスポートストリームの前記第２の暗号化方式の暗号を復号し、前記ＡＶデコーダに出力する第１装置。
【請求項４】
第１の暗号化方式で暗号化されたトランスポートストリームとして放送されてくるデジタル衛星放送を受信する第１のチューナと、
受信された前記トランスポートストリームの前記第１の暗号化方式の暗号を復号する第１の復号手段と、
復号された前記トランスポートストリームを外部に伝送または受信し、暗号化及び復号機能を有する第１のインターフェースと、
復号された前記トランスポートストリームの圧縮を伸長するＡＶデコーダとを備え、
第１の暗号化方式で暗号化されたトランスポートストリームとして放送されてくるデジタル地上波放送を受信する第２のチューナと、受信された前記トランスポートストリームを出力し、前記第１のインターフェースの復号方式に対応する暗号方式の機能を有し、前記第１のインターフェースと接続し得る第２のインターフェースとを有する第２装置の前記第２のインターフェースから出力された前記トランスポートストリームを、前記第１のインターフェースは、入力し、前記ＡＶデコーダに出力する第１装置。
【請求項５】
前記第２の復号手段は、ソフトウェアで構成されている請求項３記載の第１装置。
【請求項６】
前記第２の暗号化方式で暗号化された前記トランスポートストリームに、前記第２の暗号化方式の鍵を含むダミーパケットを挿入するダミーパケット挿入手段を有する前記第２装置の前記ダミーパケットを、前記第１のインターフェースに入力された前記トランスポートストリームから抽出するダミーパケット抽出手段と、
抽出された前記ダミーパケットから前記第２の暗号化方式の鍵を抽出する鍵抽出手段とを備え、
前記第２の復号手段は、抽出された前記第２の暗号化方式の鍵を用いて前記トランスポートストリームの前記第２の暗号化方式の暗号を復号する請求項３記載の第１装置。
【請求項７】
前記ダミーパケット抽出手段及び前記鍵抽出手段は、ソフトウェアで構成されている請求項６記載の第１装置。
【請求項８】
前記ダミーパケットとしてＮＵＬＬパケットが用いられ、
そのＮＵＬＬパケットのヘッダのＰＩＤ領域には、前記第２の暗号化方式の鍵を格納しないＮＵＬＬパケットと前記ダミーパケットとを区別できるようなＰＩＤが格納されている請求項６記載の第１装置。
【請求項９】
前記暗号化手段は、前記トランスポートストリームのトランスポートパケットのヘッダ以外の部分を暗号化する請求項３記載の第１装置。
【請求項１０】
前記暗号化手段は、前記第２の暗号化方式の鍵を所定の間隔で切り換え、
前記ダミーパケット挿入手段は、切り換えられた前記第２の暗号化方式の鍵を含むダミーパケットを前記第２の暗号化方式で暗号化された前記トランスポートストリームに挿入する請求項６記載の第１装置。
【請求項１１】
前記第２の暗号化方式の鍵は暗号化されて前記ダミーパケットに含まれる請求項６記載の第１装置。
【請求項１２】
前記暗号化手段は、前記第２の暗号化方式の鍵をシステム鍵で暗号化し、
前記ダミーパケット挿入手段は、前記第２の暗号化方式で暗号化された前記トランスポートストリームに、前記システム鍵で暗号化された前記第２の暗号化方式の鍵と、暗号化されたシステム鍵とを含むダミーパケットを挿入し、
前記鍵抽出手段は、暗号化された前記第２の暗号化方式の鍵と、暗号化されたシステム鍵とを抽出し、
前記第２の復号手段は、前記暗号化されたシステム鍵を復号鍵で復号して前記システム鍵を得て、暗号化された前記第２の暗号化方式の鍵を前記システム鍵で復号して前記第２の暗号化方式の鍵を得て、前記第２の暗号化方式の鍵を用いて前記トランスポートストリームの前記第２の暗号化方式の暗号を復号する請求項１１記載の第１装置。
【請求項１３】
前記第１のインターフェース及び前記第２のインターフェースは、それぞれＩＥＥＥ１３９４インターフェースである請求項３〜１２のいずれかに記載の第１装置。
【請求項１４】
前記第１のインターフェース及び前記第２のインターフェースはそれぞれ無線ＬＡＮの無線モジュールである請求項３〜１２のいずれかに記載の第１装置。
【請求項１５】
第１の暗号化方式で暗号化されたトランスポートストリームとして放送されてくるデジタル地上波放送を受信する第２のチューナと、
受信された前記トランスポートストリームを第２の暗号化方式で暗号化する暗号化手段と、
前記第２の暗号化方式で暗号化された前記トランスポートストリームを出力する第２のインターフェースとを備え、
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信する第１のインターフェースと、復号された前記トランスポートストリームの圧縮を伸長するＡＶデコーダと、第２の復号手段とを有する第１装置の前記第１のインターフェースは、前記第２のインターフェースから出力された前記トランスポートストリームを入力し、
前記第２の復号手段は、その入力されたトランスポートストリームの前記第２の暗号化方式の暗号を復号し、前記ＡＶデコーダに出力し、
前記第２のインターフェースは、前記第１のインターフェースと接続し得る第２装置。
【請求項１６】
第１の暗号化方式で暗号化されたトランスポートストリームとして放送されてくるデジタル地上波放送を受信する第２のチューナと、
受信された前記トランスポートストリームを出力する第２のインターフェースとを備え、
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信し、暗号化及び復号機能を有する第１のインターフェースと、復号された前記トランスポートストリームの圧縮を伸長するＡＶデコーダとを有する第１装置の前記第１のインターフェースは、前記第２のインターフェースから出力された前記トランスポートストリームを入力し、前記ＡＶデコーダに出力し、
前記第２のインターフェースは、前記第１のインターフェースの復号方式に対応する暗号方式の機能を有し、
前記２のインターフェースは、前記第１のインターフェースと接続し得る第２装置。
【請求項１７】
前記第２の復号手段は、ソフトウェアで構成されている請求項１５記載の第２装置。
【請求項１８】
前記第２の暗号化方式で暗号化された前記トランスポートストリームに、前記第２の暗号化方式の鍵を含むダミーパケットを挿入するダミーパケット挿入手段を備え、
前記第１装置は、前記第１のインターフェースに入力された前記トランスポートストリームから前記ダミーパケットを抽出するダミーパケット抽出手段と、抽出された前記ダミーパケットから前記第２の暗号化方式の鍵を抽出する鍵抽出手段とを有し、
前記第２の復号手段は、抽出された前記第２の暗号化方式の鍵を用いて前記トランスポートストリームの前記第２の暗号化方式の暗号を復号する請求項１５記載の第２装置。
【請求項１９】
前記ダミーパケット抽出手段及び前記鍵抽出手段は、ソフトウェアで構成されている請求項１８記載の第２装置。
【請求項２０】
前記ダミーパケットとしてＮＵＬＬパケットが用いられ、
そのＮＵＬＬパケットのヘッダのＰＩＤ領域には、前記第２の暗号化方式の鍵を格納しないＮＵＬＬパケットと前記ダミーパケットとを区別できるようなＰＩＤが格納されている請求項１８記載の第２装置。
【請求項２１】
前記暗号化手段は、前記トランスポートストリームのトランスポートパケットのヘッダ以外の部分を暗号化する請求項１５記載の第２装置。
【請求項２２】
前記暗号化手段は、前記第２の暗号化方式の鍵を所定の間隔で切り換え、
前記ダミーパケット挿入手段は、切り換えられた前記第２の暗号化手段の鍵を含むダミーパケットを前記第２の暗号化方式で暗号化された前記トランスポートストリームに挿入する請求項１８記載の第２装置。
【請求項２３】
前記第２の暗号化方式の鍵は暗号化されて前記ダミーパケットに含まれる請求項１８記載の第２装置。
【請求項２４】
前記暗号化手段は、前記第２の暗号化方式の鍵をシステム鍵で暗号化し、
前記ダミーパケット挿入手段は、前記第２の暗号化方式で暗号化された前記トランスポートストリームに、前記システム鍵で暗号化された前記第２の暗号化方式の鍵と、暗号化されたシステム鍵とを含むダミーパケットを挿入し、
前記鍵抽出手段は、暗号化された前記第２の暗号化方式の鍵と、暗号化されたシステム鍵とを抽出し、
前記第２の復号手段は、前記暗号化されたシステム鍵を復号鍵で復号して前記システム鍵を得て、暗号化された前記第２の暗号化方式の鍵を前記システム鍵で復号して前記第２の暗号化方式の鍵を得て、前記第２の暗号化方式の鍵を用いて前記トランスポートストリームの前記第２の暗号化方式の暗号を復号する請求項２３記載の第２装置。
【請求項２５】
前記第１のインターフェース及び前記第２のインターフェースは、それぞれＩＥＥＥ１３９４インターフェースである請求項１５〜２４のいずれかに記載の第２装置。
【請求項２６】
前記第１のインターフェース及び前記第２のインターフェースはそれぞれ無線ＬＡＮの無線モジュールである請求項１５〜２４のいずれかに記載の第２装置。
【請求項２７】
第１の暗号化方式で暗号化されたトランスポートストリームとして放送されてくるデジタル衛星放送を受信する第１のチューナステップと、
受信された前記トランスポートストリームの前記第１の暗号化方式の暗号を復号する第１の復号ステップと、
復号された前記トランスポートストリームを外部に伝送または受信する第１のインターフェースステップと、
復号された前記トランスポートストリームの圧縮を伸長するＡＶデコーダステップと、
第２の復号ステップとを備え、
第１の暗号化方式で暗号化されたトランスポートストリームとして放送されてくるデジタル地上波放送を受信する第２のチューナと、受信された前記トランスポートストリームを第２の暗号化方式で暗号化する暗号化手段と、前記第２の暗号化方式で暗号化された前記トランスポートストリームを出力し、前記第１のインターフェースと接続し得る第２のインターフェースとを有する第２装置の前記第２のインターフェースから出力された前記トランスポートストリームを、前記第１のインターフェースステップは、入力し、
前記第２の復号ステップは、その入力されたトランスポートストリームの前記第２の暗号化方式の暗号を復号し、前記ＡＶデコーダに出力する受信方法。
【請求項２８】
第１の暗号化方式で暗号化されたトランスポートストリームとして放送されてくるデジタル衛星放送を受信する第１のチューナステップと、
受信された前記トランスポートストリームの前記第１の暗号化方式の暗号を復号する第１の復号ステップと、
復号された前記トランスポートストリームを外部に伝送または受信し、暗号化及び復号機能を有する第１のインターフェースステップと、
復号された前記トランスポートストリームの圧縮を伸長するＡＶデコーダステップとを備え、
第１の暗号化方式で暗号化されたトランスポートストリームとして放送されてくるデジタル地上波放送を受信する第２のチューナと、受信された前記トランスポートストリームを出力し、前記第１のインターフェースの復号方式に対応する暗号方式の機能を有し、前記第１のインターフェースと接続し得る第２のインターフェースとを有する第２装置の前記第２のインターフェースから出力された前記トランスポートストリームを、前記第１のインターフェースステップは、入力し、前記ＡＶデコーダに出力する受信方法。
【請求項２９】
第１の暗号化方式で暗号化されたトランスポートストリームとして放送されてくるデジタル地上波放送を受信する第２のチューナステップと、
受信された前記トランスポートストリームを第２の暗号化方式で暗号化する暗号化ステップと、
前記第２の暗号化方式で暗号化された前記トランスポートストリームを出力する第２のインターフェースステップとを備え、
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信する第１のインターフェースと、復号された前記トランスポートストリームの圧縮を伸長するＡＶデコーダと、第２の復号手段とを有する第１装置の前記第１のインターフェースは、前記第２のインターフェースステップから出力された前記トランスポートストリームを入力し、
前記第２の復号手段は、その入力されたトランスポートストリームの前記第２の暗号化方式の暗号を復号し、前記ＡＶデコーダに出力し、
前記第２のインターフェースステップは、前記第１のインターフェースと接続し得る受信方法。
【請求項３０】
第１の暗号化方式で暗号化されたトランスポートストリームとして放送されてくるデジタル地上波放送を受信する第２のチューナステップと、
受信された前記トランスポートストリームを出力する第２のインターフェースステップとを備え、
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信し、暗号化及び復号機能を有する第１のインターフェースと、復号された前記トランスポートストリームの圧縮を伸長するＡＶデコーダとを有する第１装置の前記第１のインターフェースは、前記第２のインターフェースから出力された前記トランスポートストリームを入力し、前記ＡＶデコーダに出力し、
前記第２のインターフェースステップは、前記第１のインターフェースの復号方式に対応する暗号方式の機能を有し、
前記２のインターフェースステップは、前記第１のインターフェースと接続し得る受信方法。
【請求項３１】
請求項３記載の第１装置の、第１の暗号化方式で暗号化されたトランスポートストリームとして放送されてくるデジタル衛星放送を受信する第１のチューナと、
受信された前記トランスポートストリームの前記第１の暗号化方式の暗号を復号する第１の復号手段と、
復号された前記トランスポートストリームを外部に伝送または受信する第１のインターフェースと、
復号された前記トランスポートストリームの圧縮を伸長するＡＶデコーダと、
第２の復号手段としてコンピュータを機能させるためのプログラム。
【請求項３２】
請求項４記載の第１装置の、第１の暗号化方式で暗号化されたトランスポートストリームとして放送されてくるデジタル衛星放送を受信する第１のチューナと、
受信された前記トランスポートストリームの前記第１の暗号化方式の暗号を復号する第１の復号手段と、
復号された前記トランスポートストリームを外部に伝送または受信し、暗号化及び復号機能を有する第１のインターフェースと、
復号された前記トランスポートストリームの圧縮を伸長するＡＶデコーダとしてコンピュータを機能させるためのプログラム。
【請求項３３】
請求項１５記載の第２装置の、第１の暗号化方式で暗号化されたトランスポートストリームとして放送されてくるデジタル地上波放送を受信する第２のチューナと、
受信された前記トランスポートストリームを第２の暗号化方式で暗号化する暗号化手段と、
前記第２の暗号化方式で暗号化された前記トランスポートストリームを出力する第２のインターフェースとしてコンピュータを機能させるためのプログラム。
【請求項３４】
請求項１６記載の第２装置の、第１の暗号化方式で暗号化されたトランスポートストリームとして放送されてくるデジタル地上波放送を受信する第２のチューナと、
受信された前記トランスポートストリームを出力する第２のインターフェースとしてコンピュータを機能させるためのプログラム。
【請求項３５】
請求項３１〜３４のいずれかに記載のプログラムを担持した記録媒体であって、コンピュータにより処理可能な記録媒体。
【発明の詳細な説明】
【０００１】
【発明の属する技術分野】
本発明は、デジタル地上波放送及びデジタル衛星放送を受信するデジタル放送受信システム、第１装置、第２装置、受信方法、記録媒体、及びプログラムに関するものである。
【０００２】
【従来の技術】
高能率符号化圧縮技術であるＭＰＥＧ２（Ｍｏｖｉｎｇ  Ｐｉｃｔｕｒｅ  Ｅｘｐｅｒｔｓ  Ｇｒｏｕｐ  ２）をテレビ放送に利用することにより、ＨＤＴＶ（Ｈｉｇｈ  Ｄｅｆｉｎｉｔｉｏｎ  Ｔｅｌｅｖｉｓｉｏｎ、高品位テレビまたは高精細テレビ）などのデジタル放送が可能になった。このような放送としては、例えばデジタルＣＳ（Ｃｏｍｍｕｎｉｃａｔｉｏｎ  Ｓａｔｅｌｉｔｅ）放送やデジタルＢＳ（Ｂｒｏａｄｃａｓｔｉｎｇ  Ｓａｔｅｌｉｔｅ）放送などが実用化されている。
【０００３】
図９に、従来のデジタルＢＳ放送を受信することが出来るＴＶ１０１と、Ｄ−ＶＨＳ１２０とから構成されるシステムを示す（例えば、非特許文献１参照。）。ＴＶ１０１は放送衛星から放送されるＨＤＴＶなどのデジタル放送を受信することが出来るテレビである。ＴＶ１０１にはＤ−ＶＨＳ１２０が接続されている。
【０００４】
ＴＶ１０１は、アンテナ２、チューナ３、トランスポートデコーダ１０４、ＡＶデコーダ７、ディスプレイ８、ＩＥＥＥ１３９４Ｉ／Ｆ９、フラッシュロム１０、ＣＰＵ１１、及びコネクタ１２から構成されている。
【０００５】
また、Ｄ−ＶＨＳ１２０は、ＴＶ１０１で受信された番組のＡＶデータを記録及び再生する装置であり、ＩＥＥＥ１３９４Ｉ／Ｆ１２１、及びコネクタ１７から構成されている。
【０００６】
ＴＶ１０１とＤ−ＶＨＳ１２０は、それぞれのコネクタ１２、１７にケーブル１６が接続されている。
【０００７】
ＴＶ１０１のアンテナ２は、デジタルＢＳ放送の放送波を受信して電気信号に変換する手段である。
【０００８】
チューナ３は、電気信号に変換された放送波を復調してＭＰＥＧトランスポートストリームを出力する手段である。
【０００９】
トランスポートデコーダ１０４は、チューナ３から出力されたＭＰＥＧトランスポートストリームを分離する手段であり、また放送局で第１の暗号化方式で暗号化されたＭＰＥＧトランスポートストリームの暗号を復号する第１の復号手段を有している。トランスポートデコーダ１０４は、電子回路などのハードウェア部分４ａと、第１の復号手段６などを含むソフトウェア部分１０４ｂから構成されている。
【００１０】
ＡＶデコーダ７は、トランスポートデコーダから出力されたエレメンタリストリームの圧縮を伸長してアナログ信号を出力する手段である。ＡＶデコーダ７は、電子回路などのハードウェア部分７ａとソフトウェア部分７ｂとから構成されている。
【００１１】
ディスプレイ８は、ＡＶデコーダ７から出力されたアナログ信号を表示する手段である。
【００１２】
ＩＥＥＥ１３９４Ｉ／Ｆ９は、トランスポートデコーダ１０４から出力され、第１の復号手段で第１の暗号化方式の暗号が復号されたトランスポートストリームを外部に伝送または外部から受信するＩＥＥＥ１３９４インターフェースである。なお、ＩＥＥＥ１３９４とは、ＩＥＥＥ  Ｓｔｄ  １３９４−１９９５、Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓの略言である。
【００１３】
コネクタ１２は、ケーブル１６を接続する端子である。
【００１４】
フラッシュロム１０は、ＴＶ１０１の電源を入れたときの制御プログラムや、トランスポートデコーダ１０４のソフトウェア部分１０４のプログラム、ＡＶデコーダ７のソフトウェア部分７ｂのプログラムを格納するメモリである。
【００１５】
ＣＰＵ１１は、フラッシュロム１０に格納されているプログラム読み込んで実行する手段である。
【００１６】
このように、ＴＶ１０１は、トランスポートデコーダ４のソフトウェア部分４ｂやＡＶデコーダ７のソフトウェア部分７ｂに示すように、ハードウェアのみならず、ソフトウェアからも構成されている。そして、このようなソフトウェアのプログラムはフラッシュロム１０に格納されている。
【００１７】
一方、Ｄ−ＶＨＳ１２０においてＩＥＥＥ１３９４Ｉ／Ｆ１２１は、ＩＥＥＥ１３９４インターフェースである。
【００１８】
次に、このような従来のＴＶ１０１の動作を説明する。
【００１９】
ＴＶ１０１は、電源投入後、フラッシュロム１０に格納されている制御プログラムをＣＰＵ１１が実行し、ＴＶ１０１の動作を制御する。
【００２０】
そして、デジタルＢＳ放送を受信する際には次のように動作する。
【００２１】
すなわち、図示していない放送局からはＭＰＥＧトランスポートストリームとしてデジタルＢＳ放送が放送される。放送されるＭＰＥＧトランスポートストリームは放送局で予め第１の暗号化方式で暗号化されている。第１の暗号化方式の例として例えばＭＵＬＴＩ２規格がある。放送局からＭＰＥＧトランスポートストリームとして放送されたデジタルＢＳ放送は図示していない放送衛星にアップリンクされ、さらに放送衛星から地上にダウンリンクされ、アンテナ２で電気信号に変換される。
【００２２】
チューナ３は、電気信号に変換された放送波を復調し、第１の暗号化方式で暗号化されたＭＰＥＧトランスポートストリームをトランスポートデコーダ１０４に出力する。
【００２３】
トランスポートデコーダ１０４は、ソフトウェアとして構成されている第１の復号手段６で、チューナ３から出力されたＭＰＥＧトランスポートストリームの第１の暗号化方式の暗号を復号する。そして、トランスポートデコーダ１０４は復号されたトランスポートストリームを分離し、エレメンタリストリームとしてＡＶデコーダに出力する。
【００２４】
ＡＶデコーダ７は、エレメンタリストリームの圧縮を伸長し、アナログ信号に変換して、ディスプレイ８に出力する。
【００２５】
ディスプレイ８は、アナログ信号を表示する。
【００２６】
このようにして、ディジタルＢＳ放送がディスプレイ８に表示される。
【００２７】
また、ＴＶ１０１は、ＩＥＥＥ１３９４Ｉ／Ｆ９を備えており、トランスポートデコーダ１０４から出力されてくるＭＰＥＧトランスポートストリームをＤ−ＶＨＳ１２０などの外部の機器に記録したり、Ｄ−ＶＨＳ１２０などの外部の機器が記録しているＭＰＥＧトランスポートストリームを再生して、ディスプレイ８に表示することが出来る。
【００２８】
ＴＶ１０１でデジタルＢＳ放送を受信して、Ｄ−ＶＨＳ１２０に記録する際には次のように動作する。
【００２９】
すなわち、アンテナ２、チューナ３の動作は上記と同様である。トランスポートデコーダ１０４の第１の復号手段６は、チューナ３から出力されてくるＭＰＥＧトランスポートストリームの第１の暗号化方式の暗号を、上記と同様にして復号する。そして、トランスポートデコーダ１０４は、Ｄ−ＶＨＳ１２０に記録する番組を分離してＩＥＥＥ１３９４Ｉ／Ｆ９に出力する。
【００３０】
ＩＥＥＥ１３９４Ｉ／Ｆ９は、トランスポートデコーダ１０４から出力されてきたＭＰＥＧトランスポートストリームをアイソクロナスパケットとしてケーブル１６を介してＩＥＥＥ１３９４Ｉ／Ｆ１２１に伝送する。
【００３１】
一方、ＩＥＥＥ１３９４Ｉ／Ｆ１２１は、ＩＥＥＥ１３９４Ｉ／Ｆ９から伝送されてくるアイソクロナスパケットを受信すると、ＭＰＥＧトランスポートストリームに復元し、Ｄ−ＶＨＳ１２０が図示していないテープ媒体に記録する。
【００３２】
逆に、Ｄ−ＶＨＳ１２０のテープ媒体に記録されているＭＰＥＧトランスポートストリームを再生する際には次のように動作する。
【００３３】
Ｄ−ＶＨＳ１２０は、図示していないテープ媒体に記録されているＭＰＥＧトランスポートストリームを再生し、ＩＥＥＥ１３９４Ｉ／Ｆ１２１に出力する。ＩＥＥＥ１３９４Ｉ／Ｆ１２１は、入力されてくるＭＰＥＧトランスポートストリームをアイソクロナスパケットとしてケーブル１６を介してＩＥＥＥ１３９４Ｉ／Ｆ９に伝送する。
【００３４】
ＩＥＥＥ１３９４Ｉ／Ｆ９は、ケーブル１６を介してアイソクロナスパケットを受信すると、ＭＰＥＧトランスポートストリームに復元し、トランスポートデコーダ１０４に出力する。
【００３５】
トランスポートデコーダ１０４は、ＩＥＥＥ１３９４Ｉ／Ｆ９から出力されてきたＭＰＥＧトランスポートストリームをエレメンタリストリームに変換して、ＡＶデコーダ７に出力する。
【００３６】
ＡＶデコーダ７は、エレメンタリストリームの圧縮を伸長し、アナログ信号に変換して、ディスプレイ８に出力する。
【００３７】
ディスプレイ８は、ＡＶデコーダ７から出力されてくるアナログ信号を表示する。
【００３８】
このようにして、Ｄ−ＶＨＳ１２０で再生されたＭＰＥＧトランスポートストリームがＴＶ１０１のディスプレイ８に表示される。
【００３９】
つまり、従来のＴＶ１０１は、デジタルＢＳ放送を受信して表示することが出来、また、ＩＥＥＥ１３９４Ｉ／Ｆ９によって、受信したＡＶデータを外部の機器に伝送したり、外部の機器からＡＶデータを受信して表示したりすることが出来る。
【００４０】
【非特許文献１】
「ＡＲＩＢデジタル放送用受信装置の標準規格（望ましい仕様）ＡＲＩＢ ＳＴＤ−Ｂ２１ ３．２版」、（例えば、Ｐ１５５〜Ｐ１６４）
【００４１】
【発明が解決しようとする課題】
しかしながら、従来のＴＶ１０１は、ＨＤＴＶなどのデジタルＢＳ放送を受信することが出来るが、２００３年の年末に日本で放送の開始が予定されているデジタル地上波放送を受信することは出来ない。そして、このデジタル地上波放送を従来のＴＶ１０１で受信可能にしたいという強い要望がある。
【００４２】
すなわち、ＩＥＥＥ１３９４インターフェースなどのデジタルインターフェースを有し、デジタルＢＳ放送及び／またはデジタルＣＳ放送などのデジタル衛星放送の受信が可能なチューナを有するテレビ内部のハードウェア構成を変更することなく、デジタル地上波放送を受信可能にしたいという課題がある。
【００４３】
本発明は、上記課題を考慮し、デジタルインターフェースを有し、デジタル衛星放送が受信可能な場合に、テレビの内部のハードウェア構成を変更することなく、デジタル地上波放送を受信可能にすることが出来るデジタル放送受信システム、第１装置、第２装置、受信方法、記録媒体、及びプログラムを提供することを目的とするものである。
【００４４】
【課題を解決するための手段】
上述した課題を解決するために、第１の本発明は、第１の暗号化方式で暗号化されたトランスポートストリームとして放送されてくるデジタル衛星放送を受信する第１のチューナ（図１の３）と、受信された前記トランスポートストリームの前記第１の暗号化方式の暗号を復号する第１の復号手段（図１の６）と、復号された前記トランスポートストリームを外部に伝送または受信する第１のインターフェース（図１の９）と、復号された前記トランスポートストリームの圧縮を伸長するＡＶデコーダ（図１の７）と、第２の復号手段（図１の５）とを有する第１装置（図１の１）と、
第１の暗号化方式で暗号化されたトランスポートストリームとして放送されてくるデジタル地上波放送を受信する第２のチューナ（図１の１９）と、受信された前記トランスポートストリームを第２の暗号化方式で暗号化する暗号化手段（図１の２０）と、前記第２の暗号化方式で暗号化された前記トランスポートストリームを出力し、前記第１のインターフェースと接続し得る第２のインターフェース（図１の２１）とを有する第２装置とを備え、
前記第１のインターフェース（図１の９）は、前記第２のインターフェース（図１の２１）から出力された前記トランスポートストリームを入力し、
前記第２の復号手段（図１の５）は、その入力されたトランスポートストリームの前記第２の暗号化方式の暗号を復号し、前記ＡＶデコーダ（図１の７）に出力するデジタル放送受信システムである。
【００４５】
また、第２の本発明は、第１の暗号化方式で暗号化されたトランスポートストリームとして放送されてくるデジタル衛星放送を受信する第１のチューナ（図８の３）と、受信された前記トランスポートストリームの前記第１の暗号化方式の暗号を復号する第１の復号手段（図８の６）と、復号された前記トランスポートストリームを外部に伝送または受信し、暗号化及び復号機能を有する第１のインターフェース（図８の９ａ）と、復号された前記トランスポートストリームの圧縮を伸長するＡＶデコーダ（図８の７）とを有する第１装置（図８の１ａ）と、
第１の暗号化方式で暗号化されたトランスポートストリームとして放送されてくるデジタル地上波放送を受信する第２のチューナ（図８の１９）と、受信された前記トランスポートストリームを出力し、前記第１のインターフェース（図８の９ａ）の復号方式に対応する暗号方式の機能を有し、前記第１のインターフェース（図８の９ａ）と接続し得る第２のインターフェース（図８の２１ａ）とを有する第２装置（図８の１５ａ）とを備え、
前記第１のインターフェース（図８の９ａ）は、前記第２のインターフェース（図８の２１ａ）から出力された前記トランスポートストリームを入力し、前記ＡＶデコーダ（図８の７）に出力するデジタル放送受信システムである。
【００４６】
また、第３の本発明は、第１の暗号化方式で暗号化されたトランスポートストリームとして放送されてくるデジタル衛星放送を受信する第１のチューナと、
受信された前記トランスポートストリームの前記第１の暗号化方式の暗号を復号する第１の復号手段（図１の６）と、
復号された前記トランスポートストリームを外部に伝送または受信する第１のインターフェース（図１の９）と、
復号された前記トランスポートストリームの圧縮を伸長するＡＶデコーダ（図１の７）と、
第２の復号手段（図１の５）とを備え、
第１の暗号化方式で暗号化されたトランスポートストリームとして放送されてくるデジタル地上波放送を受信する第２のチューナ（図１の１９）と、受信された前記トランスポートストリームを第２の暗号化方式で暗号化する暗号化手段（図１の２０）と、前記第２の暗号化方式で暗号化された前記トランスポートストリームを出力し、前記第１のインターフェース（図１の９）と接続し得る第２のインターフェース（図１の２１）とを有する第２装置（図１の１５）の前記第２のインターフェース（図１の２１）から出力された前記トランスポートストリームを、前記第１のインターフェース（図１の９）は、入力し、
前記第２の復号手段（図１の５）は、その入力されたトランスポートストリームの前記第２の暗号化方式の暗号を復号し、前記ＡＶデコーダ（図１の７）に出力する第１装置（図１の１）である。
【００４７】
また、第４の本発明は、第１の暗号化方式で暗号化されたトランスポートストリームとして放送されてくるデジタル衛星放送を受信する第１のチューナ（図８の３）と、
受信された前記トランスポートストリームの前記第１の暗号化方式の暗号を復号する第１の復号手段（図８の６）と、
復号された前記トランスポートストリームを外部に伝送または受信し、暗号化及び復号機能を有する第１のインターフェース（図８の９ａ）と、
復号された前記トランスポートストリームの圧縮を伸長するＡＶデコーダ（図８の７）とを備え、
第１の暗号化方式で暗号化されたトランスポートストリームとして放送されてくるデジタル地上波放送を受信する第２のチューナ（図８の１９）と、受信された前記トランスポートストリームを出力し、前記第１のインターフェース（図８の９ａ）の復号方式に対応する暗号方式の機能を有し、前記第１のインターフェース（図８の９ａ）と接続し得る第２のインターフェース（図８の２１ａ）とを有する第２装置（図８の１５ａ）の前記第２のインターフェース（図８の２１ａ）から出力された前記トランスポートストリームを、前記第１のインターフェース（図８の９ａ）は、入力し、前記ＡＶデコーダ（図８の７）に出力する第１装置（図８の１ａ）である。
【００４８】
また、第５の本発明は、前記第２の復号手段（図１の５）は、ソフトウェアで構成されている第３の本発明の第１装置（図１の１）である。
【００４９】
また、第６の本発明は、前記第２の暗号化方式で暗号化された前記トランスポートストリームに、前記第２の暗号化方式の鍵（図２の２５）を含むダミーパケットを挿入するダミーパケット挿入手段（図２の２６）を有する前記第２装置（図２の１５）の前記ダミーパケットを、前記第１のインターフェース（図２の９）に入力された前記トランスポートストリームから抽出するダミーパケット抽出手段（図２の２２）と、
抽出された前記ダミーパケットから前記第２の暗号化方式の鍵を抽出する鍵抽出手段（図２の２３）とを備え、
前記第２の復号手段（図２の５）は、抽出された前記第２の暗号化方式の鍵（図２の２４）を用いて前記トランスポートストリームの前記第２の暗号化方式の暗号を復号する第３の本発明の第１装置（図２の１）である。
【００５０】
また、第７の本発明は、前記ダミーパケット抽出手段（図２の２２）及び前記鍵抽出手段（図２の２３）は、ソフトウェアで構成されている第６の本発明の第１装置（図２の１）である。
【００５１】
また、第８の本発明は、前記ダミーパケットとしてＮＵＬＬパケットが用いられ、
そのＮＵＬＬパケットのヘッダ（図４の３３）のＰＩＤ領域（図４の３７）には、前記第２の暗号化方式の鍵を格納しないＮＵＬＬパケットと前記ダミーパケットとを区別できるようなＰＩＤが格納されている第６の本発明の第１装置（図２の１）である。
【００５２】
また、第９の本発明は、前記暗号化手段（図２の２０）は、前記トランスポートストリームのトランスポートパケットのヘッダ（図４の３８）以外の部分（図４の３９）を暗号化する第３の本発明の第１装置（図２の１）である。
【００５３】
また、第１０の本発明は、前記暗号化手段（図２の２０）は、前記第２の暗号化方式の鍵（図２の２５）を所定の間隔で切り換え、
前記ダミーパケット挿入手段（図２の２６）は、切り換えられた前記第２の暗号化方式の鍵（図２の２５）を含むダミーパケットを前記第２の暗号化方式で暗号化された前記トランスポートストリームに挿入する第６の本発明の第１装置である（図２の１）。
【００５４】
また、第１１の本発明は、前記第２の暗号化方式の鍵は暗号化されて前記ダミーパケットに含まれる第６の本発明の第１装置である。
【００５５】
また、第１２の本発明は、前記暗号化手段（図６の２０及び７８）は、前記第２の暗号化方式の鍵をシステム鍵（図６の７９）で暗号化し、
前記ダミーパケット挿入手段（図６の２６ａ）は、前記第２の暗号化方式で暗号化された前記トランスポートストリームに、前記システム鍵（図６の７９）で暗号化された前記第２の暗号化方式の鍵と、暗号化されたシステム鍵（図６の８０）とを含むダミーパケットを挿入し、
前記鍵抽出手段（図６の２３ａ）は、暗号化された前記第２の暗号化方式の鍵と、暗号化されたシステム鍵（図６の７２）とを抽出し、
前記第２の復号手段（図６の５、７３、７５、７６、及び７７）は、前記暗号化されたシステム鍵（図６の７２）を復号鍵（図６の７４）で復号して前記システム鍵を得て、暗号化された前記第２の暗号化方式の鍵を前記システム鍵で復号して前記第２の暗号化方式の鍵（図６の２４）を得て、前記第２の暗号化方式の鍵（図６の２４）を用いて前記トランスポートストリームの前記第２の暗号化方式の暗号を復号する第１１の本発明の第１装置である。
【００５６】
また、第１３の本発明は、前記第１のインターフェース（図２の９）及び前記第２のインターフェース（図２の２１）は、それぞれＩＥＥＥ１３９４インターフェースである第３〜１２の本発明のいずれかの第１装置である。
【００５７】
また、第１４の本発明は、前記第１のインターフェース及び前記第２のインターフェースはそれぞれ無線ＬＡＮの無線モジュールである第３〜１２の本発明のいずれかの第１装置である。
【００５８】
また、第１５の本発明は、第１の暗号化方式で暗号化されたトランスポートストリームとして放送されてくるデジタル地上波放送を受信する第２のチューナ（図１の１９）と、
受信された前記トランスポートストリームを第２の暗号化方式で暗号化する暗号化手段（図１の２０）と、
前記第２の暗号化方式で暗号化された前記トランスポートストリームを出力する第２のインターフェース（図１の２１）とを備え、
第１の暗号化方式で暗号化されたトランスポートストリームとして放送されてくるデジタル衛星放送を受信する第１のチューナ（図１の３）と、受信された前記トランスポートストリームの前記第１の暗号化方式の暗号を復号する第１の復号手段（図１の６）と、復号された前記トランスポートストリームを外部に伝送または受信する第１のインターフェース（図１の９）と、復号された前記トランスポートストリームの圧縮を伸長するＡＶデコーダ（図１の７）と、第２の復号手段（図１の５）とを有する第１装置（図１の１）の前記第１のインターフェース（図１の９）は、前記第２のインターフェース（図１の２１）から出力された前記トランスポートストリームを入力し、
前記第２の復号手段（図１の５）は、その入力されたトランスポートストリームの前記第２の暗号化方式の暗号を復号し、前記ＡＶデコーダ（図１の７）に出力し、
前記第２のインターフェース（図１の２１）は、前記第１のインターフェース（図１の９）と接続し得る第２装置（図１の１５）である。
【００５９】
また、第１６の本発明は、第１の暗号化方式で暗号化されたトランスポートストリームとして放送されてくるデジタル地上波放送を受信する第２のチューナ（図８の１９）と、
受信された前記トランスポートストリームを出力する第２のインターフェース（図８の２１ａ）とを備え、
第１の暗号化方式で暗号化されたトランスポートストリームとして放送されてくるデジタル衛星放送を受信する第１のチューナ（図８の３）と、受信された前記トランスポートストリームの前記第１の暗号化方式の暗号を復号する第１の復号手段（図８の６）と、復号された前記トランスポートストリームを外部に伝送または受信し、暗号化及び復号機能を有する第１のインターフェース（図８の９ａ）と、復号された前記トランスポートストリームの圧縮を伸長するＡＶデコーダ（図８の７）とを有する第１装置（図８の１ａ）の前記第１のインターフェース（図８の９ａ）は、前記第２のインターフェース（図８の２１ａ）から出力された前記トランスポートストリームを入力し、前記ＡＶデコーダ（図８の７）に出力し、
前記第２のインターフェース（図８の２１ａ）は、前記第１のインターフェース（図８の９ａ）の復号方式に対応する暗号方式の機能を有し、
前記２のインターフェース（図８の２１ａ）は、前記第１のインターフェース（図８の９ａ）と接続し得る第２装置（図８の１５ａ）である。
【００６０】
また、第１７の本発明は、前記第２の復号手段（図１の５）は、ソフトウェアで構成されている第１５の本発明の第２装置（図１の１５）である。
【００６１】
また、第１８の本発明は、前記第２の暗号化方式で暗号化された前記トランスポートストリームに、前記第２の暗号化方式の鍵を含むダミーパケットを挿入するダミーパケット挿入手段（図２の２６）を備え、
前記第１装置（図２の１）は、前記第１のインターフェース（図１の９）に入力された前記トランスポートストリームから前記ダミーパケットを抽出するダミーパケット抽出手段（図２の２２）と、抽出された前記ダミーパケットから前記第２の暗号化方式の鍵を抽出する鍵抽出手段（図２の２３）とを有し、
前記第２の復号手段（図２の５）は、抽出された前記第２の暗号化方式の鍵を用いて前記トランスポートストリームの前記第２の暗号化方式の暗号を復号する第１５の本発明の第２装置（図２の１５）である。
【００６２】
また、第１９の本発明は、前記ダミーパケット抽出手段（図２の２２）及び前記鍵抽出手段（図２の２３）は、ソフトウェアで構成されている第１８の本発明の第２装置である（図２の１５）。
【００６３】
また、第２０の本発明は、前記ダミーパケットとしてＮＵＬＬパケットが用いられ、
そのＮＵＬＬパケットのヘッダ（図４の３３）のＰＩＤ領域（図４の３７）には、前記第２の暗号化方式の鍵を格納しないＮＵＬＬパケットと前記ダミーパケットとを区別できるようなＰＩＤが格納されている第１８の本発明の第２装置（図２の１５）である。
【００６４】
また、第２１の本発明は、前記暗号化手段（図２の２０）は、前記トランスポートストリームのトランスポートパケットのヘッダ（図４の３８）以外の部分（図４の３９）を暗号化する第１５の本発明の第２装置（図２の１５）である。
【００６５】
また、第２２の本発明は、前記暗号化手段（図２の２０）は、前記第２の暗号化方式の鍵を所定の間隔で切り換え、
前記ダミーパケット挿入手段（図２の２６）は、切り換えられた前記第２の暗号化方式の鍵を含むダミーパケットを前記第２の暗号化方式で暗号化された前記トランスポートストリームに挿入する第１８の本発明の第２装置（図２の１５）である。
【００６６】
また、第２３の本発明は、前記第２の暗号化方式の鍵は暗号化されて前記ダミーパケットに含まれる第１８の本発明の第２装置である。
【００６７】
また、第２４の本発明は、前記暗号化手段（図６の２０、及び７８）は、前記第２の暗号化方式の鍵をシステム鍵（図６の７９）で暗号化し、
前記ダミーパケット挿入手段（図６の２６ａ）は、前記第２の暗号化方式で暗号化された前記トランスポートストリームに、前記システム鍵（図６の７９）で暗号化された前記第２の暗号化方式の鍵と、暗号化されたシステム鍵（図６の８０）とを含むダミーパケットを挿入し、
前記鍵抽出手段（図６の２３ａ）は、暗号化された前記第２の暗号化方式の鍵と、暗号化されたシステム鍵（図６の７２）とを抽出し、
前記第２の復号手段（図６の５、７３、７５、７６、及び７７）は、前記暗号化されたシステム鍵（図６の７２）を復号鍵（図６の７４）で復号して前記システム鍵を得て、暗号化された前記第２の暗号化方式の鍵を前記システム鍵で復号して前記第２の暗号化方式の鍵（図６の２４）を得て、前記第２の暗号化方式の鍵（図６の２４）を用いて前記トランスポートストリームの前記第２の暗号化方式の暗号を復号する第２３の本発明の第２装置である。
【００６８】
また、第２５の本発明は、前記第１のインターフェース（図２の９）及び前記第２のインターフェース（図２の２１）は、それぞれＩＥＥＥ１３９４インターフェースである第１５〜２４の本発明のいずれかの第２装置である。
【００６９】
また、第２６の本発明は、前記第１のインターフェース及び前記第２のインターフェースはそれぞれ無線ＬＡＮの無線モジュールである第１５〜２４の本発明のいずれかの第２装置である。
【００７０】
また、第２７の本発明は、第１の暗号化方式で暗号化されたトランスポートストリームとして放送されてくるデジタル衛星放送を受信する第１のチューナステップと、
受信された前記トランスポートストリームの前記第１の暗号化方式の暗号を復号する第１の復号ステップと、
復号された前記トランスポートストリームを外部に伝送または受信する第１のインターフェースステップと、
復号された前記トランスポートストリームの圧縮を伸長するＡＶデコーダステップと、
第２の復号ステップとを備え、
第１の暗号化方式で暗号化されたトランスポートストリームとして放送されてくるデジタル地上波放送を受信する第２のチューナと、受信された前記トランスポートストリームを第２の暗号化方式で暗号化する暗号化手段と、前記第２の暗号化方式で暗号化された前記トランスポートストリームを出力し、前記第１のインターフェースと接続し得る第２のインターフェースとを有する第２装置の前記第２のインターフェースから出力された前記トランスポートストリームを、前記第１のインターフェースステップは、入力し、
前記第２の復号ステップは、その入力されたトランスポートストリームの前記第２の暗号化方式の暗号を復号し、前記ＡＶデコーダに出力する受信方法である。
【００７１】
また、第２８の本発明は、第１の暗号化方式で暗号化されたトランスポートストリームとして放送されてくるデジタル衛星放送を受信する第１のチューナステップと、
受信された前記トランスポートストリームの前記第１の暗号化方式の暗号を復号する第１の復号ステップと、
復号された前記トランスポートストリームを外部に伝送または受信し、暗号化及び復号機能を有する第１のインターフェースステップと、
復号された前記トランスポートストリームの圧縮を伸長するＡＶデコーダステップとを備え、
第１の暗号化方式で暗号化されたトランスポートストリームとして放送されてくるデジタル地上波放送を受信する第２のチューナと、受信された前記トランスポートストリームを出力し、前記第１のインターフェースの復号方式に対応する暗号方式の機能を有し、前記第１のインターフェースと接続し得る第２のインターフェースとを有する第２装置の前記第２のインターフェースから出力された前記トランスポートストリームを、前記第１のインターフェースステップは、入力し、前記ＡＶデコーダに出力する受信方法である。
【００７２】
また、第２９の本発明は、第１の暗号化方式で暗号化されたトランスポートストリームとして放送されてくるデジタル地上波放送を受信する第２のチューナステップと、
受信された前記トランスポートストリームを第２の暗号化方式で暗号化する暗号化ステップと、
前記第２の暗号化方式で暗号化された前記トランスポートストリームを出力する第２のインターフェースステップとを備え、
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信する第１のインターフェースと、復号された前記トランスポートストリームの圧縮を伸長するＡＶデコーダと、第２の復号手段とを有する第１装置の前記第１のインターフェースは、前記第２のインターフェースステップから出力された前記トランスポートストリームを入力し、
前記第２の復号手段は、その入力されたトランスポートストリームの前記第２の暗号化方式の暗号を復号し、前記ＡＶデコーダに出力し、
前記第２のインターフェースステップは、前記第１のインターフェースと接続し得る受信方法である。
【００７３】
また、第３０の本発明は、第１の暗号化方式で暗号化されたトランスポートストリームとして放送されてくるデジタル地上波放送を受信する第２のチューナステップと、
受信された前記トランスポートストリームを出力する第２のインターフェースステップとを備え、
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信し、暗号化及び復号機能を有する第１のインターフェースと、復号された前記トランスポートストリームの圧縮を伸長するＡＶデコーダとを有する第１装置の前記第１のインターフェースは、前記第２のインターフェースから出力された前記トランスポートストリームを入力し、前記ＡＶデコーダに出力し、
前記第２のインターフェースステップは、前記第１のインターフェースの復号方式に対応する暗号方式の機能を有し、
前記２のインターフェースステップは、前記第１のインターフェースと接続し得る受信方法である。
【００７４】
また、第３１の本発明は、第３の本発明の第１装置の、第１の暗号化方式で暗号化されたトランスポートストリームとして放送されてくるデジタル衛星放送を受信する第１のチューナと、
受信された前記トランスポートストリームの前記第１の暗号化方式の暗号を復号する第１の復号手段と、
復号された前記トランスポートストリームを外部に伝送または受信する第１のインターフェースと、
復号された前記トランスポートストリームの圧縮を伸長するＡＶデコーダと、
第２の復号手段としてコンピュータを機能させるためのプログラムである。
【００７５】
また、第３２の本発明は、第４の本発明の第１装置の、第１の暗号化方式で暗号化されたトランスポートストリームとして放送されてくるデジタル衛星放送を受信する第１のチューナと、
受信された前記トランスポートストリームの前記第１の暗号化方式の暗号を復号する第１の復号手段と、
復号された前記トランスポートストリームを外部に伝送または受信し、暗号化及び復号機能を有する第１のインターフェースと、
復号された前記トランスポートストリームの圧縮を伸長するＡＶデコーダとしてコンピュータを機能させるためのプログラムである。
【００７６】
また、第３３の本発明は、第１５の本発明の第２装置の、第１の暗号化方式で暗号化されたトランスポートストリームとして放送されてくるデジタル地上波放送を受信する第２のチューナと、
受信された前記トランスポートストリームを第２の暗号化方式で暗号化する暗号化手段と、
前記第２の暗号化方式で暗号化された前記トランスポートストリームを出力する第２のインターフェースとしてコンピュータを機能させるためのプログラムである。
【００７７】
また、第３４の本発明は、第１６の本発明の第２装置の、第１の暗号化方式で暗号化されたトランスポートストリームとして放送されてくるデジタル地上波放送を受信する第２のチューナと、
受信された前記トランスポートストリームを出力する第２のインターフェースとしてコンピュータを機能させるためのプログラムである。
【００７８】
また、第３５の本発明は、第３１〜３４の本発明のいずれかのプログラムを担持した記録媒体であって、コンピュータにより処理可能な記録媒体である。
【００７９】
【発明の実施の形態】
以下に、本発明の実施の形態を図面を参照して説明する。
【００８０】
（第１の実施の形態）
まず、第１の実施の形態について説明する。
【００８１】
図１、及び図２に第１の実施の形態のデジタル放送受信システムの構成を示す。図１は、第１の実施の形態のデジタル放送受信システムの概略構成図であり、図２は、地上波デジタルアダプタ１５及びＴＶ１のトランスポートデコーダ４の部分の詳細構成図である。
【００８２】
本実施の形態のデジタル放送受信システムはＴＶ１及び地上波デジタルアダプタ１５から構成され、これらが互いにケーブル１６によって接続されている。
【００８３】
ＴＶ１は、ＨＤＴＶなどのデジタルＢＳ放送を受信可能なテレビであり、デジタル地上波放送は受信出来ないテレビである。
【００８４】
また、地上波デジタルアダプタ１５は、受信したデジタル地上波放送のＭＰＥＧトランスポートストリームをケーブル１６を介してＴＶ１に出力する装置である。
【００８５】
ＴＶ１は、アンテナ２、チューナ３、トランスポートデコーダ４、第１の復号手段６、第２の復号手段５、ＡＶデコーダ７、ディスプレイ８、ＩＥＥＥ１３９４Ｉ／Ｆ９、フラッシュロム１０、ＣＰＵ１１、及びコネクタ１２などから構成されている。
【００８６】
また、地上波デジタルアダプタ１５は、アンテナ１８、チューナ１９、暗号化手段２０、ＩＥＥＥ１３９４Ｉ／Ｆ２１、及びコネクタ１７などから構成されている。
【００８７】
ＴＶ１のハードウェア構成は従来のＴＶ１０１と同様であり、ソフトウェア構成のみが異なっている。
【００８８】
ＴＶ１のアンテナ２は、デジタルＢＳ放送の放送波を受信して電気信号に変換する手段である。
【００８９】
チューナ３は、電気信号に変換された放送波を復調してＭＰＥＧトランスポートストリームを出力する手段である。
【００９０】
トランスポートデコーダ４は、チューナ３から出力されたＭＰＥＧトランスポートストリームを分離する手段であり、また放送局で第１の暗号化方式で暗号化されたＭＰＥＧトランスポートストリームの暗号を復号する第１の復号手段と、地上波デジタルアダプタ１５から送られてくる第２の暗号化方式で暗号化されたＭＰＥＧトランスポートストリームの第２の暗号化方式の暗号を復号する第２の復号手段５などを有している。トランスポートデコーダ４は、電子回路などのハードウェア部分４ａと、第１の復号手段６、第２の復号手段５などを含むソフトウェア部分４ｂから構成されている。
【００９１】
ＡＶデコーダ７は、トランスポートデコーダ４から出力されたエレメンタリストリームの圧縮を伸長してアナログ信号を出力する手段である。ＡＶデコーダ７は、電子回路などのハードウェア部分７ａとソフトウェア部分７ｂとから構成されている。
【００９２】
ディスプレイ８は、ＡＶデコーダ７から出力されたアナログ信号を表示する手段である。
【００９３】
ＩＥＥＥ１３９４Ｉ／Ｆ９は、トランスポートデコーダ４から出力され、第１の復号手段で第１の暗号化方式の暗号が復号されたトランスポートストリームを外部に伝送する、または、地上波デジタルアダプタ１５などの外部の機器からのＭＰＥＧトランスポートストリームを受信するＩＥＥＥ１３９４インターフェースである。
【００９４】
コネクタ１２は、ケーブル１６を接続する端子である。
【００９５】
フラッシュロム１０は、ＴＶ１の電源を入れた際から動作する制御プログラムや、トランスポートデコーダ４のソフトウェア部分４ｂのプログラム、ＡＶデコーダ７のソフトウェア部分７ｂのプログラムなどを格納するメモリである。
【００９６】
ＣＰＵ１１は、フラッシュロム１０に格納されているプログラムを読み込んで実行する手段である。
【００９７】
このように、ＴＶ１は、トランスポートデコーダ４のソフトウェア部分４ｂやＡＶデコーダ７のソフトウェア部分７ｂに示すように、ハードウェアのみならず、ソフトウェアからも構成されている。そして、このようなソフトウェアのプログラムはフラッシュロム１０に格納されている。
【００９８】
次に、図２を用いて地上波デジタルアダプタ１５とＴＶ１のトランスポートデコーダ４の部分の詳細な構成を説明する。
【００９９】
すなわち、地上波デジタルアダプタ１５は、チューナ１９、暗号化手段２０、ダミーパケット挿入手段２６、及びＩＥＥＥ１３９４Ｉ／Ｆ２１から構成される。
【０１００】
地上波デジタルアダプタ１５のチューナ１９は、デジタル地上波放送を受信して復調し、ＭＰＥＧトランスポートストリームを出力する手段である。
【０１０１】
暗号化手段２０は、チューナ１９から出力されてくるＭＰＥＧトランスポートストリームをコンテンツ鍵２５により第２の暗号化方式で暗号化する手段である。
【０１０２】
ダミーパケット挿入手段２６は、コンテンツ鍵２５を含むダミーパケットを第２の暗号化方式で暗号化されたＭＰＥＧトランスポートストリームに挿入する手段である。
【０１０３】
ＩＥＥＥ１３９４Ｉ／Ｆ２１は、ＩＥＥＥ１３９４インターフェースである。
【０１０４】
一方、ＴＶ１のトランスポートデコーダ４の部分は、ダミーパケット抽出手段２２、鍵抽出手段２３、第２の復号手段５、及び第１の復号手段６から構成されており、これらはソフトウェアで構成されている。すなわち、各ブロックの機能を実現するためのプログラムは、具体的にはフラッシュロム１０に格納され、ＣＰＵ１１によって実行されるものである。
【０１０５】
なお、図２では、コネクタ１２、１７の図示は省略している。
【０１０６】
ダミーパケット抽出手段２２は、ダミーパケット挿入手段２６で挿入された第２の暗号化方式の鍵すなわちコンテンツ鍵２４を含むダミーパケットを抽出する手段である。
【０１０７】
鍵抽出手段２３は、ダミーパケット抽出手段２２で抽出されたダミーパケットからコンテンツ鍵２４を抽出する手段である。
【０１０８】
第２の復号手段５は、ＩＥＥＥ１３９４Ｉ／Ｆ９から出力されてくる第２の暗号化方式で暗号化されたＭＰＥＧトランスポートストリームの暗号をコンテンツ鍵２４を用いて復号する手段である。
【０１０９】
第１の復号手段６は、デジタルＢＳ放送を放送する放送局が著作権保護のために第１の暗号化方式で暗号化した暗号を復号する手段である。なお、本実施の形態では地上波デジタル放送の放送局もデジタルＢＳ放送の放送局と同じ第１の暗号化方式で放送するＭＰＥＧトランスポートストリームを暗号化しているものとする。
【０１１０】
なお、本実施の形態のコンテンツ鍵は本発明の第２の暗号化方式の鍵の例である。
【０１１１】
次に、このような本実施の形態の動作を説明する。
【０１１２】
デジタルＢＳ放送を受信して、ディスプレイ８に表示するまでの動作は従来の技術で説明したものと同様であるので説明を省略し、本実施の形態のデジタル放送受信システムがデジタル地上波放送を受信する際の動作を説明する。
【０１１３】
なお、上述したように、デジタル地上波放送の放送局は、放送するＭＰＥＧトランスポートストリームを、デジタルＢＳ放送の放送局と同じ第１の暗号化方式で暗号化しているものとする。また、第１の暗号化方式とは、具体的にはＭＵＬＴＩ２暗号化方式を意味するものとする。また、第２の暗号化方式とは、具体的には、ＤＥＳ暗号化方式を意味するものとする。
【０１１４】
デジタル地上波放送の放送局からＭＰＥＧトランスポートストリームとして放送されてくるデジタル地上波放送は、アンテナ１８で電気信号に変換される。そして、チューナ１９は、電気信号に変換された放送波を復調して、第１の暗号化方式で暗号化されているＭＰＥＧトランスポートストリームを出力する。
【０１１５】
暗号化手段２０は、コンテンツ鍵２５を用いて、チューナ１９から出力されてくるＭＰＥＧトランスポートストリームを第２の暗号化方式で暗号化する。すなわち、暗号化手段２０から出力されるＭＰＥＧトランスポートストリームは第１の暗号化方式と第２の暗号化方式とで２重に暗号化されている。また、暗号化手段２０は、チューナ１９から出力されてくるＭＰＥＧトランスポートストリームをフルトランスポートストリームで暗号化する。
【０１１６】
なお、フルトランスポートストリームとは、映像データ及び音声データを含む１番組だけでなく複数の番組やＥＰＧ（電子番組ガイド）を含むＭＰＥＧトランスポートストリームを意味する（すなわちＡＲＩＢ  ＳＴＢ−Ｂ２１  付録２の「全てのトランスポートストリーム出力」を意味する）。
【０１１７】
ダミーパケット挿入手段２６は、コンテンツ鍵２５を含むダミーパケットを第２の暗号化方式で暗号化されたＭＰＥＧトランスポートの先頭に挿入する。
【０１１８】
図３の（ａ）にダミーパケット挿入手段２６から出力されてくるダミーパケットが挿入されたＭＰＥＧトランスポートストリームを示す。映像データや音声データやＥＰＧデータを含む通常パケット２８、２９、３０、３１、３２などの先頭にダミーパケット２７が挿入されている。
【０１１９】
また、図３（ｂ）にダミーパケット２７の構成を示す。すなわち、コンテンツ鍵２５は、ダミーパケット２７のヘッダ３３ではなくペイロード３４の部分に格納されている。
【０１２０】
図４の（ａ）及び（ｂ）に図３のダミーパケット２７及び通常パケット２８、２９、３０、３１、３２の詳細な構成をそれぞれ示す。
【０１２１】
図４の（ａ）に示すように、ダミーパケットとしてはＭＰＥＧトランスポートストリームのビットレートを調整するために用いるＮＵＬＬパケットを用いる。従ってダミーパケット２７のヘッダ３３の先頭にはＮＵＬＬパケットであることを示すＮＵＬＬ  Ｐａｃｋｅｔ  ＩＤ３６が格納されている。具体的にはＮＵＬＬ  Ｐａｃｋｅｔ  ＩＤ３６として０Ｘ１ＦＦＦが格納されている。
【０１２２】
またビットレートを調整する目的で用いられるＮＵＬＬパケットとダミーパケットとを区別するために、ＰＩＤ領域すなわち、Ｐｒｉｖａｔｅ  ＩＤ３７の部分にはビットレートを調整する目的で使われるＮＵＬＬパケットとは異なったＰＩＤを格納する。これにより、ビットレートを調整する目的で使われるＮＵＬＬパケットとダミーパケットとを区別することが出来るようになる。また、ダミーパケット２７のペイロード３４の部分にはコンテンツ鍵３５が格納される。
【０１２３】
また、図４の（ｂ）に示すように、通常パケット２８などは、ヘッダ３８の部分は暗号化手段２０によって第２の暗号化方式で暗号化されず、ペイロード３９の部分のみ暗号化手段２０によって第２の暗号化方式で暗号化されている。すなわち、ヘッダ３８の部分を暗号化手段２０が第２の暗号化方式で暗号化した場合、Ｐｒｉｖａｔｅ  ＩＤ３７ａの部分を第２の暗号化方式で暗号化されるために参照出来なくなるという不具合があるので、暗号化しない。また、Ｐｒｉｖａｔｅ  ＩＤ３７ａの部分は第１の暗号化方式でも暗号化されていない。従って、暗号化手段２０は、通常のパケット２８などをヘッダ３８の部分ではなくペーロード３９の部分をＤＥＳ暗号化方式である第２の暗号化方式で暗号化する。従って、ペイロード３９の部分は、放送局で第１の暗号化方式で暗号化された後、暗号化手段２０で暗号化されるので、２重に暗号化されることになる。
【０１２４】
ダミーパケット挿入手段２６から出力されたＭＰＥＧトランスポートストリームは、ＩＥＥＥ１３９２Ｉ／Ｆ２１に入力される。
【０１２５】
ＩＥＥＥ１３９４Ｉ／Ｆ２１は、ダミーパケット挿入手段２６から出力されてきたＭＰＥＧトランスポートストリームをアイソクロナスパケットとしてケーブル１６に出力する。
【０１２６】
一方、ＴＶ１のＩＥＥＥ１３９４Ｉ／Ｆ９は、ＩＥＥＥ１３９４Ｉ／Ｆ２１からケーブル１６を介して伝送されてくるアイソクロナスパケットを受信すると、ＭＰＥＧトランスポートストリームに復元し、その復元したＭＰＥＧトランスポートストリームをダミーパケット抽出手段２２に出力する。
【０１２７】
ダミーパケット抽出手段２２は、ＩＥＥＥ１３９４Ｉ／Ｆ９から出力されたＭＰＥＧトランスポートストリームからダミーパケットを抽出して、鍵抽出手段２３に出力する。
【０１２８】
鍵抽出手段２３は、ダミーパケット抽出手段２２から出力されてきたダミーパケットからコンテンツ鍵２４を抽出する。
【０１２９】
また、ダミーパケット抽出手段２２は、ダミーパケット以外のＭＰＥＧトランスポートストリームを第２の復号手段５に出力する。
【０１３０】
第２の復号手段５は、ダミーパケット抽出手段２２から出力されてきたＭＰＥＧトランスポートストリームの第２の暗号化方式の暗号を鍵抽出手段２３で抽出されたコンテンツ鍵２４で復号する。そして第２の復号手段５は、復号したＭＰＥＧトランスポートストリームを第１の復号手段６に出力する。
【０１３１】
第１の復号手段６は、第２の復号手段５から出力されてきたＭＰＥＧトランスポートストリームの第１の暗号化方式の暗号を復号する。
【０１３２】
復号されたＭＰＥＧトランスポートストリームは、トランスポートデコーダ４で分離され、エレメンタリストリームに変換されてＡＶデコーダ７に出力される。
【０１３３】
ＡＶデコーダ７は、トランスポートデコーダ４から出力されてきたエレメンタリストリームの圧縮を伸長し、アナログ信号に変換する。そして、ＡＶデコーダ７は変換したアナログ信号をディスプレイ８に出力する。
【０１３４】
ディスプレイ８は、ＡＶデコーダ７から出力されてきたアナログ信号のうち映像信号を表示し、音声信号をスピーカから出力する。
【０１３５】
このように、本実施の形態のデジタル放送受信システムによれば、暗号化手段２０が第２の暗号化方式で暗号化することにより２重に暗号化されることになるので、より強固に著作権の保護が可能になる。すなわち、図１のコネクタ１７に他の不正な機器を接続し、地上波デジタルアダプタ１５からアイソクロナスパケットとして出力されてくるＭＰＥＧトランスポートストリームを記録して視聴したりしようとしても、コネクタ１７から検出されるＭＰＥＧトランスポートストリームは、暗号化手段２０で第２の暗号化方式で暗号化されているので、このような不正な機器がＭＰＥＧトランスポートストリームを記録して視聴したりすることは困難である。
【０１３６】
また、ＩＥＥＥ１３９４では、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）方式が規格化されている。ＤＴＣＰ方式は、ＩＥＥＥ１３９４によりデータ伝送をする際に、認証機能と鍵の無効化機能を備えており、ＡＶデータなどの著作権保護が必要なデータを暗号化して伝送することにより著作権の保護を実現することが出来る。
【０１３７】
従って、ＤＴＣＰ方式を用いることにより、地上波デジタルアダプタ１５からＴＶ１にＭＰＥＧトランスポートストリームのフルトランスポートストリームを暗号化して伝送すればよいように見える。ところが、ＤＴＣＰ方式ではフルトランスポートストリームではなく、パーシャルストリーム伝送を想定しているので、上述したように、地上波デジタルアダプタ１５からフルトランスポートストリームを伝送する場合には用いることが出来ない。また、ＤＴＣＰ方式の暗号化方式は、楕円関数の演算など非常に演算量が多い処理が必要になってくる。本実施の形態では、第２の暗号化方式としてＤＥＳ方式を用いたので、ＤＴＣＰ方式の暗号化方式よりはるかに演算量が少なくすることが出来る。従って、地上波デジタルアダプタ１５のハードウェアやＣＰＵ１１への負担を軽くすることが出来、ＤＴＣＰ方式に比べてコストを削減することが出来る。
【０１３８】
このように本実施の形態のデジタル放送受信システムでは、ＴＶ１として従来の技術で説明したＴＶ１０１のハードウェア部分をそのまま用い、ソフトウェア部分のみを入れ替えるだけで、デジタル地上波放送をＴＶ１のディスプレイに表示することが出来るようになる。すなわち、従来からＴＶ１が備えていたＩＥＥＥ１３９４Ｉ／Ｆ９に地上波デジタルアダプタ１５のＩＥＥＥ１３９４Ｉ／Ｆ２１を接続することにより、ＴＶ１でデジタル地上波放送が視聴することが出来るようになる。なお、従来のＴＶ１０１に本実施の形態のＴＶ１の機能を付加するためには、本実施の形態のソフトウェア部分のプログラムを衛星放送からダウンロードしたり、またＳＤカードなどから読み込むようにすればよい。
【０１３９】
なお、本実施の形態では、第１の暗号化方式がＭＵＬＴＩ２暗号化方式であり、第２の暗号化方式がＤＥＳ暗号化方式であるとして説明したが、これに限らない。第１の暗号化方式をＭＵＬＴＩ２暗号化方式で暗号化し、第２の暗号化方式もＭＵＬＴＩ２で暗号化してもかまわない。また、第１の暗号化方式をＤＥＳ暗号化方式で暗号化し、第２の暗号化方式をＤＥＳ暗号化方式で暗号化しても構わない。また、第１の暗号化方式及び第２の暗号化方式として上記以外の暗号化方式を用いても構わない。
【０１４０】
さらに、本実施の形態では、ダミーパケット挿入手段２６が、第２の暗号化方式で暗号化されたＭＰＥＧトランスポートストリームの先頭にコンテンツ鍵２５を含むダミーパケットを挿入するとして説明したが、これに限らない。セキュリティを向上させるために、コンテンツ鍵２５を数秒毎などの所定の時間間隔毎に切り換えても構わない。
【０１４１】
すなわち、図２で暗号化手段２０が、コンテンツ鍵２５を数秒毎などの所定の時間間隔毎に切り換えでチューナ１９から出力されてくるＭＰＥＧトランスポートストリームを暗号化する。一方、ダミーパケット挿入手段２６は、所定の時間間隔毎に切り換えられるコンテンツ鍵２５を含むダミーパケットを第２の暗号化方式で暗号化されたＭＰＥＧトランスポートストリームに挿入する。
【０１４２】
図５にダミーパケット挿入手段２６から出力されたＭＰＥＧトランスポートストリームのトランスポートパケットを示す。通常のパケット列５３、５４、５５は、映像データや音声データやＥＰＧデータなどを含むトランスポートパケット列である。そして、通常のパケット列５３は、事前に挿入されたダミーパケット４９に含まれるコンテンツ鍵２５で暗号化されており、通常のパケット列５４は、事前に挿入されたダミーパケット５０に含まれるコンテンツ鍵２５で暗号化されており、通常のパケット列５５は、事前に挿入されたダミーパケット５１に含まれるコンテンツ鍵２５で暗号化されている。従って第２の復号手段５は、図５のコンテンツ鍵２５を使用する規則に従って、ダミーパケット抽出手段２２から出力されてくるＭＰＥＧトランスポートストリームの第２の暗号化方式の暗号を復号すればよい。
【０１４３】
このように所定の時間間隔毎にコンテンツ鍵２５を切り換えるので、セキュリティをより向上させることが出来る。
【０１４４】
さらに、本実施の形態では、地上波デジタルアダプタ１５とＴＶ１との間のデータ伝送はＩＥＥＥ１３９４Ｉ／Ｆ２１及びＩＥＥＥ１３９４Ｉ／Ｆ９を利用して行われるとして説明したが、これに限らない。例えば、５ＧＨｚ帯の無線ＬＡＮであれば、伝送レートが５５ＭＢｐｓになるので、地上波デジタルアダプタ１５からのフルトランスポートストリームを伝送することが出来る。従って、ＩＥＥＥ１３９４Ｉ／Ｆ２１及びＩＥＥＥ１３９４Ｉ／Ｆ９の代わりに、５ＧＨｚ帯の無線ＬＡＮの無線モジュールを用いることも出来る。
【０１４５】
さらに、本実施の形態では、ＴＶ１がデジタルＢＳ放送を受信するとして説明したが、これに限らずデジタルＣＳ放送を受信出来るものであっても構わない。要するにＴＶ１は、通信衛星や放送衛星などの人工衛星を介して放送されるデジタル衛星放送を受信出来るものでありさえすればよい。
【０１４６】
（第２の実施の形態）
次に、第２の実施の形態について説明する。
【０１４７】
図６に、第２の実施の形態のデジタル放送受信システムの構成を示す。
【０１４８】
本実施の形態では、第１の実施の形態とは異なりコンテンツ鍵などを含むダミーパケットのコンテンツ鍵などの鍵が暗号化されている場合について説明する。なお、第１の実施の形態と同一部分については同一符号を付して詳細な説明を省略する。
【０１４９】
本実施の形態のデジタル放送受信システムは、ＴＶ７０及び地上波デジタルアダプタ８２、鍵管理センター６１から構成されており、ＴＶ７０と地上波デジタルアダプタ８２は、互いにケーブル１６によって接続されている。
【０１５０】
ＴＶ７０は、第１の実施の形態と同様にＨＤＴＶなどのデジタルＢＳ放送を受信可能なテレビであり、デジタル地上波放送は受信出来ないテレビである。
【０１５１】
また、地上波デジタルアダプタ８２は、第１の実施の形態と同様に受信したデジタル地上波放送のＭＰＥＧトランスポートストリームをケーブル１６を介してＴＶ７０に出力する装置である。
【０１５２】
また、鍵管理センター６１は、地上波デジタルアダプタ８２及びＴＶ７０で用いられる第２の暗号化方式の鍵を管理する装置である。
【０１５３】
ＴＶ７０は、アンテナ２、チューナ３、トランスポートデコーダ６８、ソフト処理部６９、ＡＶデコーダ７、ディスプレイ８、ＩＥＥＥ１３９４Ｉ／Ｆ９、フラッシュロム１０、ＣＰＵ１１、及びコネクタ１２から構成されている。
【０１５４】
トランスポートデコーダ６８は、ダミーパケット抽出手段２２、鍵抽出手段２３ａ、第２の復号手段５、第１の復号手段６から構成されている。そして、トランスポートデコーダ６８のダミーパケット抽出手段２２、鍵抽出手段２３ａ、第２の復号手段５、及び第１の復号手段６はソフトウェアで構成されている。
【０１５５】
ソフト処理部６９は、乱数発生手段７１、第３の復号手段７３、コンテンツ鍵復号手段７５、一方向性関数７６、合否判定手段７７から構成されている。そして、ソフト処理部６９もソフトウェアで構成されている。
【０１５６】
また、地上波デジタルアダプタ１５は、アンテナ１８、チューナ１９、暗号化手段２０、ダミーパケット挿入手段２６ａ、ＩＥＥＥ１３９４Ｉ／Ｆ２１、及びコネクタ１７、第２の暗号化手段７８から構成されている。
【０１５７】
ＴＶ７０のハードウェア構成は従来のＴＶ１０１と同様であり、ソフトウェア構成のみが従来のＴＶ１０１と異なっている。
【０１５８】
トランスポートデコーダ６８は、チューナ３から出力されたＭＰＥＧトランスポートストリームを分離する手段であり、電子回路などのハードウェア部分と、第１の復号手段６などを含むソフトウェア部分から構成されている。
【０１５９】
このように、ＴＶ７０は、トランスポートデコーダ６８のソフトウェア部分やＡＶデコーダ７のソフトウェア部分に示すように、ハードウェアのみならず、ソフトウェアからも構成されている。そして、このようなソフトウェアのプログラムはフラッシュロム１０に格納されている。
【０１６０】
地上波デジタルアダプタ８２の暗号化手段２０は、チューナ１９から出力されてくるＭＰＥＧトランスポートストリームをコンテンツ鍵２５により第２の暗号化方式で暗号化する手段である。
【０１６１】
ダミーパケット挿入手段２６ａは、後述する暗号化コンテンツ鍵２５及び暗号化システム鍵８０を含むダミーパケットを第２の暗号化方式で暗号化されたＭＰＥＧトランスポートストリームに挿入する手段である。
【０１６２】
第２の暗号化手段７８は、システム鍵７９とＴＶ７０から送られてきた乱数８１との排他的論理和をとることによって得られる鍵でコンテンツ鍵２５を暗号化して暗号化コンテンツ鍵を生成し、ダミーパケット挿入手段２６ａに出力する手段である。
【０１６３】
一方、ＴＶ７０のトランスポートデコーダ６８のダミーパケット抽出手段２２は、ダミーパケット挿入手段２６ａで挿入されたダミーパケットを抽出する手段である。
【０１６４】
鍵抽出手段２３ａは、ダミーパケット抽出手段２２で抽出されたダミーパケットから暗号化コンテンツ鍵及び暗号化システム鍵７２を抽出する手段である。
【０１６５】
第２の復号手段５は、ＩＥＥＥ１３９４Ｉ／Ｆ９から出力されてくる第２の暗号化方式で暗号化されたＭＰＥＧトランスポートストリームの暗号をコンテンツ鍵２４を用いて復号する手段である。
【０１６６】
第１の復号手段６は、デジタルＢＳ放送を放送する放送局が著作権保護のために第１の暗号化方式で暗号化した暗号を復号する手段である。なお、本実施の形態では、第１の実施の形態と同様に、地上波デジタル放送の放送局もデジタルＢＳ放送の放送局と同じ第１の暗号化方式で放送するＭＰＥＧトランスポートストリームを暗号化しているものとする。
【０１６７】
また、ＴＶ７０のソフト処理部６９の乱数発生手段７１は、地上波デジタルアダプタ８２のシステム鍵と排他的論理和をとるための乱数を発生する手段である。
【０１６８】
第３の復号手段７３は、暗号化システム鍵７２を復号してシステム鍵を得る手段である。
【０１６９】
コンテンツ鍵復号手段７５は、鍵抽出手段２３ａで抽出された暗号化コンテンツ鍵を第３の復号手段７３から出力されたシステム鍵と乱数発生手段７１で発生された乱数との排他的論理和をとった鍵で復号してコンテンツ鍵２４を得る手段である。
【０１７０】
鍵管理センター６１の金庫６７には暗号鍵６３とＮ個のシステム鍵６４が格納されており、また公開鍵である復号鍵６２が格納されている。なお、上記Ｎの具体的な値としては例えば３２であるとする。従って、金庫６７には３２個のシステム鍵６４が格納されている。
【０１７１】
なお、本実施の形態のコンテンツ鍵は本発明の第２の暗号化方式の鍵の例である。
【０１７２】
次に、このような本実施の形態の動作を説明する。
【０１７３】
デジタルＢＳ放送を受信して、ディスプレイ８に表示するまでの動作は従来の技術で説明したものと同様であるので説明を省略し、本実施の形態のデジタル放送受信システムがデジタル地上波放送を受信する際の動作を説明する。
【０１７４】
まず、デジタル地上波放送を受信するに先立って、地上波デジタルアダプタ８２は、鍵管理センター６１からシステム鍵６４と暗号化システム鍵６５が配布される。例えば、鍵管理センター６１からＳＤカードなどによってシステム鍵６４と暗号化システム鍵６５とを地上波デジタルアダプタ８２に配布することが出来る。
【０１７５】
また、デジタル地上波放送を受信するに先立って、ＴＶ７０は、鍵管理センター６１から復号鍵６２が配布される。例えば、鍵管理センター６１からＳＤカードなどによって復号鍵７０をＴＶ７０に配布したり、あるいはデジタルＢＳ放送によって復号鍵６２をダウンロードすることが出来る。
【０１７６】
ここで、鍵管理センター６１の暗号鍵６３は公開鍵方式の秘密鍵であり、復号鍵６２は、その公開鍵方式の公開鍵である。鍵管理センター６１で、暗号鍵６３によりシステム鍵６４を暗号化することにより暗号化システム鍵６５が生成される。従って公開鍵である復号鍵６２で暗号化システム鍵６５を復号することによりシステム鍵６４を得ることが出来る。また、システム鍵６４は全部でＮ個あり、それに対応して暗号化システム鍵もＮ個あるものとする。
【０１７７】
地上波デジタルアダプタ８２にシステム鍵７９と暗号化システム鍵８０とが格納され、また、ＴＶ７０に復号鍵７４が格納されたとする。
【０１７８】
また、第１の実施の形態と同様に、デジタル地上波放送の放送局は、放送するＭＰＥＧトランスポートストリームを、デジタルＢＳ放送の放送局と同じ第１の暗号化方式で暗号化しているものとする。また、第１の暗号化方式とは、具体的にはＭＵＬＴＩ２暗号化方式にを意味するものとする。また、第２の暗号化方式とは、具体的には、ＤＥＳ暗号化方式を意味するものとする。
【０１７９】
デジタル地上波放送局からＭＰＥＧトランスポートストリームとして放送されてくるデジタル地上波放送は、アンテナ１８で電気信号に変換される。そして、チューナ１９は、電気信号に変換された放送波を復調して、第１の暗号化方式で暗号化されているＭＰＥＧトランスポートストリームを出力する。
【０１８０】
暗号化手段２０は、コンテンツ鍵２５を用いて、チューナ１９から出力されてくるＭＰＥＧトランスポートストリームを第２の暗号化方式で暗号化する。すなわち、暗号化手段２０から出力されるＭＰＥＧトランスポートストリームは第１の暗号化方式と第２の暗号化方式とで２重に暗号化されている。また、暗号化手段２０は、チューナ１９から出力されてくるＭＰＥＧトランスポートストリームをフルトランスポートストリームで暗号化する。
【０１８１】
次に、第２の暗号化手段７８は、ＴＶ７０から送られてきた乱数８１とＮ個のシステム鍵７９のいずれか一つとの排他的論理和をとった鍵でコンテンツ鍵２５を暗号化し、暗号化コンテンツ鍵を生成する。このときの暗号化方式としてはトリプルＤＥＳ暗号化方式が用いられる。そして、第２の暗号化手段７８は、生成した暗号化コンテンツ鍵をダミーパケット挿入手段２６ａに出力する。
【０１８２】
このように、第２の暗号化手段７８は、乱数８１といずれかのシステム鍵７９との排他的論理和をとって得られる鍵でコンテンツ鍵２５を暗号化するので、他の不正な機器が地上波デジタルアダプタ８２に接続された場合であっても不正認証を防止することが出来る。
【０１８３】
また、ダミーパケット挿入手段２６ａは、第２の暗号化手段７８が暗号化する際に用いたシステム鍵７９に対応する暗号化システム鍵８０を読み込む。そして、ダミーパケット挿入手段２６ａは、暗号化コンテンツ鍵と暗号化システム鍵８０とを含むダミーパケットを、第２の暗号化方式で暗号化されたＭＰＥＧトランスポートの先頭に挿入する。
【０１８４】
図７にダミーパケット挿入手段２６で挿入されるダミーパケット８３の構成を示す。暗号化コンテンツ鍵及び暗号化システム鍵８０は、ペイロードの部分８４、８５に格納されている。また、第１の実施の形態と同様にダミーパケットとしてＮＵＬＬパケットを用いている。
【０１８５】
ダミーパケット挿入手段２６ａから出力されたＭＰＥＧトランスポートストリームは、ＩＥＥＥ１３９２Ｉ／Ｆ２１に入力される。
【０１８６】
ＩＥＥＥ１３９４Ｉ／Ｆ２１は、ダミーパケット挿入手段２６から出力されてきたＭＰＥＧトランスポートストリームをアイソクロナスパケットとしてケーブル１６に出力する。
【０１８７】
一方、ＴＶ７０のＩＥＥＥ１３９４Ｉ／Ｆ９は、ＩＥＥＥ１３９４Ｉ／Ｆ２１からケーブル１６を介して伝送されてくるアイソクロナスパケットを受信すると、ＭＰＥＧトランスポートストリームに復元し、その復元したＭＰＥＧトランスポートストリームをダミーパケット抽出手段２２に出力する。
【０１８８】
ダミーパケット抽出手段２２は、ＩＥＥＥ１３９４Ｉ／Ｆ９から出力されたＭＰＥＧトランスポートストリームからダミーパケットを抽出して、鍵抽出手段２３ａに出力する。
【０１８９】
鍵抽出手段２３ａは、ダミーパケット抽出手段２２から出力されてきたダミーパケットから暗号化コンテンツ鍵と暗号化システム鍵７２を抽出する。
【０１９０】
第３の復号手段７３は、予め鍵管理センター６１から与えられた復号鍵７４で暗号化システム鍵７２を復号する。
【０１９１】
第３の復号手段７３で復号されたシステム鍵と乱数発生手段７１で発生された乱数とを用いて一方向性関数７６及び合否判定手段７７で署名確認された場合のみコンテンツ鍵の復号が許可される。
【０１９２】
第３の復号手段７３で復号されたシステム鍵は、システム鍵のビット列のうち特定の下位ビット列を合否判定手段７７に入力し、残りの上位ビット列を一方向性関数７６を経由して合否判定手段７７に入力すると共に、乱数発生手段７１で発生された乱数とを用いて、排他的論理和をとって得られる鍵を用いて、コンテンツ鍵複合手段２３ａで抽出された暗号化コンテンツ鍵を複合してコンテンツ鍵２４を生成する。
【０１９３】
この時、合否判定手段７７は、鍵抽出手段２３ａで抽出された暗号化システム鍵が正しいかどうかの判定を行い、暗号化システム鍵が正規の鍵の場合、生成したコンテンツ鍵２４を用いて、以下の第２の復号手段５の処理を行う。
【０１９４】
一方、ダミーパケット抽出手段２２は、ダミーパケット以外のＭＰＥＧトランスポートストリームを第２の復号手段５に出力する。
【０１９５】
第２の復号手段５は、ダミーパケット抽出手段２２から出力されてきたＭＰＥＧトランスポートストリームの第２の暗号化方式の暗号を、上記のようにして生成されたコンテンツ鍵２４で復号する。そして第２の復号手段５は、復号したＭＰＥＧトランスポートストリームを第１の復号手段６に出力する。
【０１９６】
第１の復号手段６は、第２の復号手段５から出力されてきたＭＰＥＧトランスポートストリームの第１の暗号化方式の暗号を復号する。
【０１９７】
復号されたＭＰＥＧトランスポートストリームは、トランスポートデコーダ４で分離され、エレメンタリストリームに変換されてＡＶデコーダ７に出力される。
【０１９８】
ＡＶデコーダ７は、トランスポートデコーダ４から出力されてきたエレメンタリストリームの圧縮を伸長し、アナログ信号に変換する。そして、ＡＶデコーダ７は変換したアナログ信号をディスプレイ８に出力する。
【０１９９】
ディスプレイ８は、ＡＶデコーダ７から出力されてきたアナログ信号のうち映像信号を表示し、音声信号をスピーカから出力する。
【０２００】
このように、本実施の形態のデジタル放送受信システムによれば、第１の実施の形態の効果に加え、ダミーパケットに挿入されるコンテンツ鍵及びシステム鍵がそれぞれ暗号化コンテンツ鍵及び暗号化システム鍵として暗号化されており、また、ＴＶ７０から乱数を受け取って、地上波デジタルアダプタ８２が受け取った乱数を用いるので、より強固に著作権の保護が可能になる。すなわち、図１のコネクタ１７に他の不正な機器を接続し、地上波デジタルアダプタ１５からアイソクロナスパケットとして出力されてくるＭＰＥＧトランスポートストリームを記録して視聴することは非常に困難になる。
【０２０１】
なお、本実施の形態においても第１の実施の形態で説明した種々の変形例が適用可能であることは言うまでもない。
【０２０２】
さらに、本実施の形態では、ダミーパケットをＭＰＥＧトランスポートストリームの先頭に付加するとして説明したが、これに限らず、Ｎ個のシステム鍵７９のうちコンテンツ鍵２５の暗号化に用いるシステム鍵７９を所定の間隔毎に切り換えることも可能である。このような場合には、システム鍵７９が切り換えられる毎にダミーパケット挿入手段２６ａにより切り換えられたシステム鍵７９に対応する暗号化システム鍵８０を含むダミーパケットが挿入されるものとする。
【０２０３】
このように本実施の形態のデジタル放送受信システムでは、ＴＶ７０として従来の技術で説明したＴＶ１０１のハードウェア部分をそのまま用い、ソフトウェア部分のみを入れ替えるだけで、デジタル地上波放送をＴＶ７０のディスプレイに表示することが出来るようになる。すなわち、従来からＴＶ７０が備えていたＩＥＥＥ１３９４Ｉ／Ｆ９に地上波デジタルアダプタ１５のＩＥＥＥ１３９４Ｉ／Ｆ２１を接続することにより、ＴＶ７０でデジタル地上波放送が視聴することが出来るようになる。
【０２０４】
なお、本実施の形態では、金庫６７に３２個のシステム鍵６４が格納されているとして説明したが、これ以外の個数のシステム鍵６４が格納されていても構わない。要するにＮを１以上の整数として金庫６７にはＮ個のシステム鍵６４が格納されていさえすればよい。
【０２０５】
（第３の実施の形態）
次に、第３の実施の形態について説明する。
【０２０６】
図８に、第３の実施の形態のデジタル放送受信システムの構成を示す。
【０２０７】
第３の実施の形態のデジタル放送受信システムは、以下の点で第１の実施の形態のデジタル放送受信システム（図１参照）と異なっている。
【０２０８】
すなわち、第３の実施の形態のデジタル放送受信システムの地上波デジタルアダプタ１５ａは、暗号化手段２０を備えておらず、ＩＥＥＥ１３９４Ｉ／Ｆ２１の代わりにＩＥＥＥ１３９４Ｉ／Ｆ２１ａを備えている。また、第３の実施の形態のデジタル放送受信システムのＴＶ１ａは、ダミーパケット抽出手段２２、鍵抽出手段２３、及び第２の復号手段５を備えておらず、ＩＥＥＥ１３９４Ｉ／Ｆ９の代わりにＩＥＥＥ１３９４Ｉ／Ｆ９ａを備えている。
【０２０９】
ＩＥＥＥ１３９４Ｉ／Ｆ９ａは、ＭＰＥＧトランスポートストリームのフルトランスポートストリームを暗号化する機能及びＭＰＥＧトランスポートストリームのフルトランスポートストリームを復号する機能を有するＩＥＥＥ１３９４インターフェースである。
【０２１０】
ＩＥＥＥ１３９４Ｉ／Ｆ２１ａは、ＩＥＥＥ１３９４Ｉ／Ｆ９ａの復号方式に対応する暗号化方式の機能を有するＩＥＥＥ１３９４インターフェースである。
【０２１１】
なお、ＩＥＥＥ１３９４Ｉ／Ｆ９ａ及びＩＥＥＥ１３９４Ｉ／Ｆ２１ａはＭＰＥＧトランスポートストリームのフルトランスポートストリームを暗号化及び復号かすることが出来るものとする。
【０２１２】
次に、このような本実施の形態の動作を第１の実施の形態との相違点を中心に説明する。
【０２１３】
デジタル地上波放送の放送局からＭＰＥＧトランスポートストリームとして放送されてくるデジタル地上波放送は、アンテナ１８で電気信号に変換される。そして、チューナ１９は、電気信号に変換された放送波を復調して、第１の暗号化方式で暗号化されているＭＰＥＧトランスポートストリームを出力する。
【０２１４】
ＩＥＥＥ１３９４Ｉ／Ｆ２１ａは、ＩＥＥＥ１３９４Ｉ／Ｆ９ａの復号方式に対応する暗号化方式で、チューナ１９から出力されてくるＭＰＥＧトランスポートストリームのフルトランスポートストリームを暗号化する。そして、暗号化したフルトランスポートストリームからアイソクロナスパケットを作成し、ケーブル１６を介してＩＥＥＥ１３９４Ｉ／Ｆ９ａに伝送する。
【０２１５】
一方、ＴＶ１ａのＩＥＥＥ１３９４Ｉ／Ｆ９ａは、ＩＥＥＥ１３９４Ｉ／Ｆ２１ａから伝送されてきたアイソクロナスパケットを受信すると、ＭＰＥＧトランスポートストリームに復元する。そして、ＩＥＥＥ１３９４Ｉ／Ｆ９ａは、復元したＭＰＥＧトランスポートストリームの暗号を復号して、復号したＭＰＥＧトランスポートストリームをトランスポートデコーダ４に出力する。
【０２１６】
トランスポートデコーダ４は、入力されてくるＭＰＥＧトランスポートストリームの第１の暗号化方式の暗号を第１の復号手段６で復号する。そして、トランスポートデコーダ４は、復号されたＭＰＥＧトランスポートストリームを分離し、エレメンタリストリームに変換して、ＡＶデコーダ７に出力する。
【０２１７】
これ以降の動作は第１の実施の形態と同様であるので説明を省略する。
【０２１８】
このように、本実施の形態によれば、ＩＥＥＥ１３９４Ｉ／Ｆ２１ａがＩＥＥＥ１３９４Ｉ／Ｆ９ａの復号方式に対応する暗号化方式でＭＰＥＧトランスポートストリームのフルトランスポートストリームを暗号化するので、ＴＶ１ａのハードウェア構成を変更することなく、ＴＶ１ａでデジタル地上波放送を受信することが出来るようになる。また、ＩＥＥＥ１３９４Ｉ／Ｆ２１ａでＭＰＥＧトランスポートストリームを暗号化するので、不正な機器がコネクタ１７などに接続されて、不正にデジタル地上波放送が視聴されることを防止することが出来る。
【０２１９】
尚、本発明のプログラムは、上述した本発明の第１装置の全部又は一部の手段（又は、装置、素子等）の機能をコンピュータにより実行させるためのプログラムであって、コンピュータと協働して動作するプログラムである。
【０２２０】
又、本発明のプログラムは、上述した本発明の第２装置の全部又は一部の手段（又は、装置、素子等）の機能をコンピュータにより実行させるためのプログラムであって、コンピュータと協働して動作するプログラムである。
【０２２１】
又、本発明の記録媒体は、上述した本発明の第１装置の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０２２２】
又、本発明の記録媒体は、上述した本発明の第２装置の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０２２３】
尚、本発明の上記「一部の手段（又は、装置、素子等）」とは、それらの複数の手段の内の、一つ又は幾つかの手段を意味し、本発明の上記「一部のステップ（又は、工程、動作、作用等）」とは、それらの複数のステップの内の、一つ又は幾つかのステップを意味する。
【０２２４】
又、本発明の上記「手段（又は、装置、素子等）の機能」とは、前記手段の全部又は一部の機能を意味し、本発明の上記「ステップ（又は、工程、動作、作用等）の動作」とは、前記ステップの全部又は一部の動作を意味する。
【０２２５】
又、本発明のプログラムの一利用形態は、コンピュータにより読み取り可能な記録媒体に記録され、コンピュータと協働して動作する態様であっても良い。
【０２２６】
又、本発明のプログラムの一利用形態は、伝送媒体中を伝送し、コンピュータにより読みとられ、コンピュータと協働して動作する態様であっても良い。
【０２２７】
又、本発明のデータ構造としては、データベース、データフォーマット、データテーブル、データリスト、データの種類などを含む。
【０２２８】
又、記録媒体としては、ＲＯＭ等が含まれ、伝送媒体としては、インターネット等の伝送媒体、光・電波・音波等が含まれる。
【０２２９】
又、上述した本発明のコンピュータは、ＣＰＵ等の純然たるハードウェアに限らず、ファームウェアや、ＯＳ、更に周辺機器を含むものであっても良い。
【０２３０】
尚、以上説明した様に、本発明の構成は、ソフトウェア的に実現しても良いし、ハードウェア的に実現しても良い。
【０２３１】
なお、以上述べたように、本発明または、本発明に関連する発明を以下に示す。
【０２３２】
第１の発明は、第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信する第１のインターフェースと、復号された前記トランスポートストリームの圧縮を伸長するＡＶデコーダと、第２の復号手段とを有する第１装置と、
第１の暗号化方式で暗号化されたトランスポートストリームとして放送されてくるデジタル地上波放送を受信する第２のチューナと、受信された前記トランスポートストリームを第２の暗号化方式で暗号化する暗号化手段と、前記第２の暗号化方式で暗号化された前記トランスポートストリームを出力し、前記第１のインターフェースと接続し得る第２のインターフェースとを有する第２装置とを備え、
前記第１のインターフェースは、前記第２のインターフェースから出力された前記トランスポートストリームを入力し、
前記第２の復号手段は、その入力されたトランスポートストリームの前記第２の暗号化方式の暗号を復号し、前記ＡＶデコーダに出力するデジタル放送受信システムである。
【０２３３】
第２の発明は、第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信し、暗号化及び復号機能を有する第１のインターフェースと、復号された前記トランスポートストリームの圧縮を伸長するＡＶデコーダとを有する第１装置と、
第１の暗号化方式で暗号化されたトランスポートストリームとして放送されてくるデジタル地上波放送を受信する第２のチューナと、受信された前記トランスポートストリームを出力し、前記第１のインターフェースの復号方式に対応する暗号方式の機能を有し、前記第１のインターフェースと接続し得る第２のインターフェースとを有する第２装置とを備え、
前記第１のインターフェースは、前記第２のインターフェースから出力された前記トランスポートストリームを入力し、前記ＡＶデコーダに出力するデジタル放送受信システムである。
【０２３４】
また、第３の発明は、前記第２の復号手段は、ソフトウェアで構成されている第１の発明のデジタル放送受信システムである。
【０２３５】
また、第４の発明は、前記第２装置は、前記第２の暗号化方式で暗号化された前記トランスポートストリームに、前記第２の暗号化方式の鍵を含むダミーパケットを挿入するダミーパケット挿入手段を有し、
前記第１装置は、前記第１のインターフェースに入力された前記トランスポートストリームから前記ダミーパケットを抽出するダミーパケット抽出手段と、抽出された前記ダミーパケットから前記第２の暗号化方式の鍵を抽出する鍵抽出手段とを有し、
前記第２の復号手段は、抽出された前記第２の暗号化方式の鍵を用いて前記トランスポートストリームの前記第２の暗号化方式の暗号を復号する第１の発明のデジタル放送受信システムである。
【０２３６】
また、第５の発明は、前記ダミーパケット抽出手段及び前記鍵抽出手段は、ソフトウェアで構成されている第４の発明のデジタル放送受信システムである。
【０２３７】
また、第６の発明は、前記ダミーパケットとしてＮＵＬＬパケットが用いられ、
そのＮＵＬＬパケットのヘッダのＰＩＤ領域には、前記第２の暗号化方式の鍵を格納しないＮＵＬＬパケットと前記ダミーパケットとを区別できるようなＰＩＤが格納されている第４の発明のデジタル放送受信システムである。
【０２３８】
また、第７の発明は、前記暗号化手段は、前記トランスポートストリームのトランスポートパケットのヘッダ以外の部分を暗号化する第１の発明のデジタル放送受信システムである。
【０２３９】
また、第８の発明は、前記暗号化手段は、前記第２の暗号化方式の鍵を所定の間隔で切り換え、
前記ダミーパケット挿入手段は、切り換えられた前記第２の暗号化方式の鍵を含むダミーパケットを前記第２の暗号化方式で暗号化された前記トランスポートストリームに挿入する第４の発明のデジタル放送受信システムである。
【０２４０】
また、第９の発明は、前記第２の暗号化方式の鍵は暗号化されて前記ダミーパケットに含まれる第４の発明のデジタル放送受信システムである。
【０２４１】
また、第１０の発明は、前記暗号化手段は、前記第２の暗号化方式の鍵をシステム鍵で暗号化し、
前記ダミーパケット挿入手段は、前記第２の暗号化方式で暗号化された前記トランスポートストリームに、前記システム鍵で暗号化された前記第２の暗号化方式の鍵と、暗号化されたシステム鍵とを含むダミーパケットを挿入し、
前記鍵抽出手段は、暗号化された前記第２の暗号化方式の鍵と、暗号化されたシステム鍵とを抽出し、
前記第２の復号手段は、前記暗号化されたシステム鍵を復号鍵で復号して前記システム鍵を得て、暗号化された前記第２の暗号化方式の鍵を前記システム鍵で復号して前記第２の暗号化方式の鍵を得て、前記第２の暗号化方式の鍵を用いて前記トランスポートストリームの前記第２の暗号化方式の暗号を復号する第９の発明のデジタル放送受信システムである。
【０２４２】
また、第１１の発明は、前記第１のインターフェース及び前記第２のインターフェースは、それぞれＩＥＥＥ１３９４インターフェースである第１〜１０の発明のいずれかに記載のデジタル放送受信システムである。
【０２４３】
また、第１２の発明は、前記第１のインターフェース及び前記第２のインターフェースはそれぞれ無線ＬＡＮの無線モジュールである第１〜１０の発明のいずれかのデジタル放送受信システムである。
【０２４４】
また、第１３の発明は、第１の暗号化方式で暗号化されたトランスポートストリームとして放送されてくるデジタル衛星放送を受信する第１のチューナと、
受信された前記トランスポートストリームの前記第１の暗号化方式の暗号を復号する第１の復号手段と、
復号された前記トランスポートストリームを外部に伝送または受信する第１のインターフェースと、
復号された前記トランスポートストリームの圧縮を伸長するＡＶデコーダと、
第２の復号手段とを備え、
第１の暗号化方式で暗号化されたトランスポートストリームとして放送されてくるデジタル地上波放送を受信する第２のチューナと、受信された前記トランスポートストリームを第２の暗号化方式で暗号化する暗号化手段と、前記第２の暗号化方式で暗号化された前記トランスポートストリームを出力し、前記第１のインターフェースと接続し得る第２のインターフェースとを有する第２装置の前記第２のインターフェースから出力された前記トランスポートストリームを、前記第１のインターフェースは、入力し、
前記第２の復号手段は、その入力されたトランスポートストリームの前記第２の暗号化方式の暗号を復号し、前記ＡＶデコーダに出力する第１装置である。
【０２４５】
また、第１４の発明は、第１の暗号化方式で暗号化されたトランスポートストリームとして放送されてくるデジタル衛星放送を受信する第１のチューナと、
受信された前記トランスポートストリームの前記第１の暗号化方式の暗号を復号する第１の復号手段と、
復号された前記トランスポートストリームを外部に伝送または受信し、暗号化及び復号機能を有する第１のインターフェースと、
復号された前記トランスポートストリームの圧縮を伸長するＡＶデコーダとを備え、
第１の暗号化方式で暗号化されたトランスポートストリームとして放送されてくるデジタル地上波放送を受信する第２のチューナと、受信された前記トランスポートストリームを出力し、前記第１のインターフェースの復号方式に対応する暗号方式の機能を有し、前記第１のインターフェースと接続し得る第２のインターフェースとを有する第２装置の前記第２のインターフェースから出力された前記トランスポートストリームを、前記第１のインターフェースは、入力し、前記ＡＶデコーダに出力する第１装置である。
【０２４６】
また、第１５の発明は、前記第２の復号手段は、ソフトウェアで構成されている第１３の発明の第１装置である。
【０２４７】
また、第１６の発明は、前記第２の暗号化方式で暗号化された前記トランスポートストリームに、前記第２の暗号化方式の鍵を含むダミーパケットを挿入するダミーパケット挿入手段を有する前記第２装置の前記ダミーパケットを、前記第１のインターフェースに入力された前記トランスポートストリームから抽出するダミーパケット抽出手段と、
抽出された前記ダミーパケットから前記第２の暗号化方式の鍵を抽出する鍵抽出手段とを備え、
前記第２の復号手段は、抽出された前記第２の暗号化方式の鍵を用いて前記トランスポートストリームの前記第２の暗号化方式の暗号を復号する第１３の発明の第１装置である。
【０２４８】
また、第１７の発明は、前記ダミーパケット抽出手段及び前記鍵抽出手段は、ソフトウェアで構成されている第１６の発明の第１装置である。
【０２４９】
また、第１８の発明は、前記ダミーパケットとしてＮＵＬＬパケットが用いられ、
そのＮＵＬＬパケットのヘッダのＰＩＤ領域には、前記第２の暗号化方式の鍵を格納しないＮＵＬＬパケットと前記ダミーパケットとを区別できるようなＰＩＤが格納されている第１６の発明の第１装置である。
【０２５０】
また、第１９の発明は、前記暗号化手段は、前記トランスポートストリームのトランスポートパケットのヘッダ以外の部分を暗号化する第１３の発明の第１装置である。
【０２５１】
また、第２０の発明は、前記暗号化手段は、前記第２の暗号化方式の鍵を所定の間隔で切り換え、
前記ダミーパケット挿入手段は、切り換えられた前記第２の暗号化方式の鍵を含むダミーパケットを前記第２の暗号化方式で暗号化された前記トランスポートストリームに挿入する第１６の発明の第１装置である。
【０２５２】
また、第２１の発明は、前記第２の暗号化方式の鍵は暗号化されて前記ダミーパケットに含まれる第１６の発明の第１装置である。
【０２５３】
また、第２２の発明は、前記暗号化手段は、前記第２の暗号化方式の鍵をシステム鍵で暗号化し、
前記ダミーパケット挿入手段は、前記第２の暗号化方式で暗号化された前記トランスポートストリームに、前記システム鍵で暗号化された前記第２の暗号化方式の鍵と、暗号化されたシステム鍵とを含むダミーパケットを挿入し、
前記鍵抽出手段は、暗号化された前記第２の暗号化方式の鍵と、暗号化されたシステム鍵とを抽出し、
前記第２の復号手段は、前記暗号化されたシステム鍵を復号鍵で復号して前記システム鍵を得て、暗号化された前記第２の暗号化方式の鍵を前記システム鍵で復号して前記第２の暗号化方式の鍵を得て、前記第２の暗号化方式の鍵を用いて前記トランスポートストリームの前記第２の暗号化方式の暗号を復号する第２１の発明の第１装置である。
【０２５４】
また、第２３の発明は、前記第１のインターフェース及び前記第２のインターフェースは、それぞれＩＥＥＥ１３９４インターフェースである第１３〜２２の発明のいずれかの第１装置である。
【０２５５】
また、第２４の発明は、前記第１のインターフェース及び前記第２のインターフェースはそれぞれ無線ＬＡＮの無線モジュールである第１３〜２２の発明のいずれかの第１装置である。
【０２５６】
また、第２５の発明は、第１の暗号化方式で暗号化されたトランスポートストリームとして放送されてくるデジタル地上波放送を受信する第２のチューナと、
受信された前記トランスポートストリームを第２の暗号化方式で暗号化する暗号化手段と、
前記第２の暗号化方式で暗号化された前記トランスポートストリームを出力する第２のインターフェースとを備え、
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信する第１のインターフェースと、復号された前記トランスポートストリームの圧縮を伸長するＡＶデコーダと、第２の復号手段とを有する第１装置の前記第１のインターフェースは、前記第２のインターフェースから出力された前記トランスポートストリームを入力し、
前記第２の復号手段は、その入力されたトランスポートストリームの前記第２の暗号化方式の暗号を復号し、前記ＡＶデコーダに出力し、
前記第２のインターフェースは、前記第１のインターフェースと接続し得る第２装置である。
【０２５７】
また、第２６の発明は、第１の暗号化方式で暗号化されたトランスポートストリームとして放送されてくるデジタル地上波放送を受信する第２のチューナと、
受信された前記トランスポートストリームを出力する第２のインターフェースとを備え、
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信し、暗号化及び復号機能を有する第１のインターフェースと、復号された前記トランスポートストリームの圧縮を伸長するＡＶデコーダとを有する第１装置の前記第１のインターフェースは、前記第２のインターフェースから出力された前記トランスポートストリームを入力し、前記ＡＶデコーダに出力し、
前記第２のインターフェースは、前記第１のインターフェースの復号方式に対応する暗号方式の機能を有し、
前記２のインターフェースは、前記第１のインターフェースと接続し得る第２装置である。
【０２５８】
また、第２７の発明は、前記第２の復号手段は、ソフトウェアで構成されている第２５の発明の第２装置である。
【０２５９】
また、第２８の発明は、前記第２の暗号化方式で暗号化された前記トランスポートストリームに、前記第２の暗号化方式の鍵を含むダミーパケットを挿入するダミーパケット挿入手段を備え、
前記第１装置は、前記第１のインターフェースに入力された前記トランスポートストリームから前記ダミーパケットを抽出するダミーパケット抽出手段と、抽出された前記ダミーパケットから前記第２の暗号化方式の鍵を抽出する鍵抽出手段とを有し、
前記第２の復号手段は、抽出された前記第２の暗号化方式の鍵を用いて前記トランスポートストリームの前記第２の暗号化方式の暗号を復号する第２５の発明の第２装置である。
【０２６０】
また、第２９の発明は、前記ダミーパケット抽出手段及び前記鍵抽出手段は、ソフトウェアで構成されている第２８の発明の第２装置である。
【０２６１】
また、第３０の発明は、前記ダミーパケットとしてＮＵＬＬパケットが用いられ、
そのＮＵＬＬパケットのヘッダのＰＩＤ領域には、前記第２の暗号化方式の鍵を格納しないＮＵＬＬパケットと前記ダミーパケットとを区別できるようなＰＩＤが格納されている第２８の発明の第２装置である。
【０２６２】
また、第３１の発明は、前記暗号化手段は、前記トランスポートストリームのトランスポートパケットのヘッダ以外の部分を暗号化する第２５の発明の第２装置である。
【０２６３】
また、第３２の発明は、前記暗号化手段は、前記第２の暗号化方式の鍵を所定の間隔で切り換え、
前記ダミーパケット挿入手段は、切り換えられた前記第２の暗号化方式の鍵を含むダミーパケットを前記第２の暗号化方式で暗号化された前記トランスポートストリームに挿入する第２８の発明の第２装置である。
【０２６４】
また、第３３の発明は、前記第２の暗号化方式の鍵は暗号化されて前記ダミーパケットに含まれる第２８の発明の第２装置である。
【０２６５】
また、第３４の発明は、前記暗号化手段は、前記第２の暗号化方式の鍵をシステム鍵で暗号化し、
前記ダミーパケット挿入手段は、前記第２の暗号化方式で暗号化された前記トランスポートストリームに、前記システム鍵で暗号化された前記第２の暗号化方式の鍵と、暗号化されたシステム鍵とを含むダミーパケットを挿入し、
前記鍵抽出手段は、暗号化された前記第２の暗号化方式の鍵と、暗号化されたシステム鍵とを抽出し、
前記第２の復号手段は、前記暗号化されたシステム鍵を復号鍵で復号して前記システム鍵を得て、暗号化された前記第２の暗号化方式の鍵を前記システム鍵で復号して前記第２の暗号化方式の鍵を得て、前記第２の暗号化方式の鍵を用いて前記トランスポートストリームの前記第２の暗号化方式の暗号を復号する第３３の発明の第２装置である。
【０２６６】
また、第３５の発明は、前記第１のインターフェース及び前記第２のインターフェースは、それぞれＩＥＥＥ１３９４インターフェースである第２５〜３４の発明のいずれかの第２装置である。
【０２６７】
また、第３６の発明は、前記第１のインターフェース及び前記第２のインターフェースはそれぞれ無線ＬＡＮの無線モジュールである第２５〜３４の発明のいずれかの第２装置である。
【０２６８】
また、第３７の発明は、第１の暗号化方式で暗号化されたトランスポートストリームとして放送されてくるデジタル衛星放送を受信する第１のチューナステップと、
受信された前記トランスポートストリームの前記第１の暗号化方式の暗号を復号する第１の復号ステップと、
復号された前記トランスポートストリームを外部に伝送または受信する第１のインターフェースステップと、
復号された前記トランスポートストリームの圧縮を伸長するＡＶデコーダステップと、
第２の復号ステップとを備え、
第１の暗号化方式で暗号化されたトランスポートストリームとして放送されてくるデジタル地上波放送を受信する第２のチューナと、受信された前記トランスポートストリームを第２の暗号化方式で暗号化する暗号化手段と、前記第２の暗号化方式で暗号化された前記トランスポートストリームを出力し、前記第１のインターフェースと接続し得る第２のインターフェースとを有する第２装置の前記第２のインターフェースから出力された前記トランスポートストリームを、前記第１のインターフェースステップは、入力し、
前記第２の復号ステップは、その入力されたトランスポートストリームの前記第２の暗号化方式の暗号を復号し、前記ＡＶデコーダに出力する受信方法である。
【０２６９】
また、第３８の発明は、第１の暗号化方式で暗号化されたトランスポートストリームとして放送されてくるデジタル衛星放送を受信する第１のチューナステップと、
受信された前記トランスポートストリームの前記第１の暗号化方式の暗号を復号する第１の復号ステップと、
復号された前記トランスポートストリームを外部に伝送または受信し、暗号化及び復号機能を有する第１のインターフェースステップと、
復号された前記トランスポートストリームの圧縮を伸長するＡＶデコーダステップとを備え、
第１の暗号化方式で暗号化されたトランスポートストリームとして放送されてくるデジタル地上波放送を受信する第２のチューナと、受信された前記トランスポートストリームを出力し、前記第１のインターフェースの復号方式に対応する暗号方式の機能を有し、前記第１のインターフェースと接続し得る第２のインターフェースとを有する第２装置の前記第２のインターフェースから出力された前記トランスポートストリームを、前記第１のインターフェースステップは、入力し、前記ＡＶデコーダに出力する受信方法である。
【０２７０】
また、第３９の発明は、第１の暗号化方式で暗号化されたトランスポートストリームとして放送されてくるデジタル地上波放送を受信する第２のチューナステップと、
受信された前記トランスポートストリームを第２の暗号化方式で暗号化する暗号化ステップと、
前記第２の暗号化方式で暗号化された前記トランスポートストリームを出力する第２のインターフェースステップとを備え、
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信する第１のインターフェースと、復号された前記トランスポートストリームの圧縮を伸長するＡＶデコーダと、第２の復号手段とを有する第１装置の前記第１のインターフェースは、前記第２のインターフェースステップから出力された前記トランスポートストリームを入力し、
前記第２の復号手段は、その入力されたトランスポートストリームの前記第２の暗号化方式の暗号を復号し、前記ＡＶデコーダに出力し、
前記第２のインターフェースステップは、前記第１のインターフェースと接続し得る受信方法である。
【０２７１】
また、第４０の発明は、第１の暗号化方式で暗号化されたトランスポートストリームとして放送されてくるデジタル地上波放送を受信する第２のチューナステップと、
受信された前記トランスポートストリームを出力する第２のインターフェースステップとを備え、
第１の暗号化方式で暗号化されたトランスポートストリームとして放送されてくるデジタル衛星放送を受信する第１のチューナと、受信された前記トランスポートストリームの前記第１の暗号化方式の暗号を復号する第１の復号手段と、復号された前記トランスポートストリームを外部に伝送または受信し、暗号化及び復号機能を有する第１のインターフェースと、復号された前記トランスポートストリームの圧縮を伸長するＡＶデコーダとを有する第１装置の前記第１のインターフェースは、前記第２のインターフェースから出力された前記トランスポートストリームを入力し、前記ＡＶデコーダに出力し、
前記第２のインターフェースステップは、前記第１のインターフェースの復号方式に対応する暗号方式の機能を有し、
前記２のインターフェースステップは、前記第１のインターフェースと接続し得る受信方法である。
【０２７２】
また、第４１の発明は、第１３の発明の第１装置の、第１の暗号化方式で暗号化されたトランスポートストリームとして放送されてくるデジタル衛星放送を受信する第１のチューナと、
受信された前記トランスポートストリームの前記第１の暗号化方式の暗号を復号する第１の復号手段と、
復号された前記トランスポートストリームを外部に伝送または受信する第１のインターフェースと、
復号された前記トランスポートストリームの圧縮を伸長するＡＶデコーダと、
第２の復号手段としてコンピュータを機能させるためのプログラムである。
【０２７３】
また、第４２の発明は、第１４の発明の第１装置の、第１の暗号化方式で暗号化されたトランスポートストリームとして放送されてくるデジタル衛星放送を受信する第１のチューナと、
受信された前記トランスポートストリームの前記第１の暗号化方式の暗号を復号する第１の復号手段と、
復号された前記トランスポートストリームを外部に伝送または受信し、暗号化及び復号機能を有する第１のインターフェースと、
復号された前記トランスポートストリームの圧縮を伸長するＡＶデコーダとしてコンピュータを機能させるためのプログラムである。
【０２７４】
また、第４３の発明は、第２５の発明の第２装置の、第１の暗号化方式で暗号化されたトランスポートストリームとして放送されてくるデジタル地上波放送を受信する第２のチューナと、
受信された前記トランスポートストリームを第２の暗号化方式で暗号化する暗号化手段と、
前記第２の暗号化方式で暗号化された前記トランスポートストリームを出力する第２のインターフェースとしてコンピュータを機能させるためのプログラムである。
【０２７５】
また、第４４の発明は、第２６の発明の第２装置の、第１の暗号化方式で暗号化されたトランスポートストリームとして放送されてくるデジタル地上波放送を受信する第２のチューナと、
受信された前記トランスポートストリームを出力する第２のインターフェースとしてコンピュータを機能させるためのプログラムである。
【０２７６】
また、第４５の発明は、第４１〜４４のいずれかの発明のプログラムを担持した記録媒体であって、コンピュータにより処理可能な記録媒体である。
【０２７７】
【発明の効果】
以上説明したところから明らかなように、本発明は、デジタルインターフェースを有し、デジタル衛星放送が受信可能な場合に、テレビの内部のハードウェア構成を変更することなく、デジタル地上波放送を受信可能にすることが出来るデジタル放送受信システム、第１装置、第２装置、受信方法、媒体、及びプログラムを提供することが出来る。
【図面の簡単な説明】
【図１】本発明の第１の実施の形態におけるデジタル放送受信システムの概略構成を示す図
【図２】本発明の第１の実施の形態におけるデジタル放送受信システムの地上波デジタルアダプタとトランスポートデコーダの詳細な構成を示す図
【図３】（ａ）本発明の第１の実施の形態におけるダミーパケット挿入手段でダミーパケットが挿入された後のＭＰＥＧトランスポートストリームを示す図
（ｂ）本発明の第１の実施の形態におけるダミーパケットの構成を示す図
【図４】（ａ）本発明の第１の実施の形態におけるダミーパケットの詳細な構成を示す図
（ｂ）本発明の第１の実施の形態における映像や音声やＥＰＧなどを保持する通常パケットの詳細な構成を示す図
【図５】本発明の第１の実施の形態におけるダミーパケット挿入手段でダミーパケットが挿入された後のＭＰＥＧトランスポートストリームの変形例を示す図
【図６】本発明の第２の実施の形態におけるデジタル放送受信システムの構成を示す図
【図７】本発明の第２の実施の形態におけるダミーパケット挿入手段で挿入されたダミーパケットの構成を示す図
【図８】本発明の第３の実施の形態におけるデジタル放送受信システムの構成を示す図
【図９】従来のデジタル放送受信システムの構成を示す図
【符号の説明】
１  ＴＶ
２  アンテナ
３  チューナ
４  トランスポートデコーダ
５  第２の復号手段
６  第１の復号手段
７  ＡＶデコーダ
８  ディスプレイ
９  ＩＥＥＥ１３９４Ｉ／Ｆ
１０  フラッシュロム
１１  ＣＰＵ
１２  コネクタ
１６  ケーブル
１７  コネクタ
１８  アンテナ
１９  チューナ
２０  暗号化手段
２１  ＩＥＥＥ１３９４Ｉ／Ｆ
２２  ダミーパケット抽出手段
２３  鍵抽出手段
２４  コンテンツ鍵
２５  コンテンツ鍵
２６  ダミーパケット挿入手段
【図１】
2004207890.tif 000003
【図２】
2004207890.tif 000004
【図３】
2004207890.tif 000005
【図４】
2004207890.tif 000006
【図５】
2004207890.tif 000007
【図６】
2004207890.tif 000008
【図７】
2004207890.tif 000009
【図８】
2004207890.tif 000010
【図９】
2004207890.tif 000011